(57)【要約】【課題】人の力のみで排気することができるとともに、被収納物の圧縮状態を長期間維持することができる圧縮袋を提供する。【解決手段】  圧縮袋１０は、内側に被収納物を収納することができる袋体２０と、袋体２０の第１の端縁２１近傍に設けられ、袋体２０を開封／密封することができるとともに開封時に袋体２０に被収納物を出し入れすることができる第１のチャック部３０と、袋体２０の第２の端縁２２近傍に設けられ、袋体２０の内側の空気を袋体２０の外側に排気するとともに袋体２０の外側の空気が内側に流入することを防止する逆止弁部４０と、袋体２０の第２の端縁２２近傍であって逆止弁部４０よりも袋体２０の空気の排気側である外側に設けられ、袋体２０を開封／密封することができる第２のチャック部５０と、により構成される。【選択図】図１
2020066470.tif 000002
【特許請求の範囲】
【請求項１】
内側に被収納物を収納することができる袋体と、
袋体の第１の端縁近傍に設けられ、袋体を開封／密封することができるとともに開封時に袋体に被収納物を出し入れすることができる第１のチャック部と、
袋体の第２の端縁近傍に設けられ、袋体の内側の空気を袋体の外側に排気するとともに袋体の外側の空気が内側に流入することを防止する逆止弁部と、
袋体の第２の端縁近傍であって逆止弁部よりも袋体の空気の排気側である外側に設けられ、袋体を開封／密封することができる第２のチャック部と、
により構成される圧縮袋。
【請求項２】
逆止弁部は、
複数枚の袋体形成フィルムが部分的に第２の端縁に略沿って溶着することによって形成され、
複数枚の袋体形成フィルムが溶着している部分であるとともに被収納物の第２のチャック部側への移動を阻止する部分である溶着部と、袋体の内側から袋体の外側に排気する空気が複数枚の袋体形成フィルムの間かつ溶着部の間で第２の端縁に略沿って通る排気流路と、複数枚の袋体形成フィルムが溶着していない部分であり袋体の内側に向かって排気流路を開口し袋体から排気する空気が排気流路に流入するための内側空気口と、複数枚の袋体形成フィルムが溶着していない部分であり袋体の外側に向かって排気流路を開口し袋体から排気する空気が排気流路から袋体の外側に流出するための外側空気口と、により構成され、
内側空気口と外側空気口とは、複数枚の袋体形成フィルムが伸びる平面方向のうち第２の端縁と直交する方向において、重ならない位置となる、又は、重なる位置となる、請求項１に記載の圧縮袋。
【請求項３】
溶着部は、排気流路の内向きに突出する突出部と排気流路の内向きに屈曲する屈曲部とを有する、請求項２に記載の圧縮袋。
【請求項４】
内側に被収納物を収納することができる袋体により構成され、
前記袋体は、略方形であって、第１の端縁と、第１の端縁と平行な第２の端縁と、第１の端縁の左端と第２の端縁の左端とを結ぶ第３の端縁と、第１の端縁の右端と第２の端縁の右端とを結ぶ第４の端縁とを備えるとともに、略同一の平面形状を備える袋体形成フィルムが重ねられ、前記第３の端縁と第４の端縁とは連結されて、前記対向する袋体形成フィルムの対向面間に被収納物を収納するための収納部を備え、
前記袋体の第１の端縁の近傍に設けられ、袋体を開封／密封することができるとともに開封時に袋体に被収納物を出し入れすることができる第１のチャック部と、
前記袋体の第２の端縁近傍に設けられ、袋体の内側の収納部の空気を袋体の外側に排気するとともに袋体の外側の空気が内側の収納部に流入することを防止する逆止弁部と、
前記袋体の第２の端縁近傍であって逆止弁部よりも袋体の空気の排気側である外側に設けられ、袋体を開封／密封することができる第２のチャック部とを含む、圧縮袋。
【請求項５】
前記逆止弁部は、
複数枚の袋体形成フィルムが部分的に第２の端縁に略沿って溶着することによって形成され、
複数枚の袋体形成フィルムが溶着している部分であるとともに被収納物の第２チャック側への移動を阻止する部分である溶着部と、袋体の内側から袋体の外側に排気する空気が複数枚の袋体形成フィルムの間かつ溶着部の間で第２の端縁に略沿って通る排気流路と、複数枚の袋体形成フィルムが溶着していない部分であり袋体の内側に向かって排気流路を開口し袋体から排気する空気が排気流路に流入するための内側空気口と、複数枚の袋体形成フィルムが溶着していない部分であり袋体の外側に向かって排気流路を開口し袋体から排気する空気が排気流路から袋体の外側に流出するための外側空気口と、により構成され、
前記溶着部は、
第２の端縁より離れた収納部側に形成された溶着部第１列と、第２のチャック部の近傍で形成された溶着部第２列とを有し、
前記溶着部第１列と前記溶着部第２列と前記第２のチャック部とは、第２の端縁と略平行に形成され、
前記溶着部第１列は、不連続で形成され、連続していない領域に内側空気口が形成され、
前記溶着部第２列は、不連続で形成され、連続していない領域に外側空気口が形成された、請求項１又は４に記載の圧縮袋。
【請求項６】
逆止弁部は、
溶着部第１列を構成する溶着部を結んだ幅方向にのびる逆止弁境界部と、前記溶着部第１列とは幅をあけて設けられた溶着部第２列を構成する溶着部を結んだ幅方向にのびる逆止弁境界部と、袋体の左側及び右側の端縁とにより囲繞された領域により構成され、
溶着部第１列の溶着部と溶着部第２列の溶着部とが向き合う閉鎖領域と、
溶着部第１列の溶着部と溶着部第２列の溶着部との間に形成され、表側の袋体を構成する袋体形成フィルムと裏側の袋体を構成する袋体形成フィルムとが密着する密着領域とを備える、請求項４又は５に記載の圧縮袋。
【請求項７】
前記溶着部は、排気流路の内向きに突出する突出部と排気流路の内向きに屈曲する屈曲部とを有し、
前記溶着部第１列は、線状の長い第１溶着部と、短い線状または点状の第２溶着部とを有し、
前記溶着部第１列は、排気流路の内向きに突出する突出部と排気流路の内向きに屈曲する屈曲部とを有し、
前記溶着部第２列は、線状の長い第１溶着部と、短い線状または点状の第２溶着部とを有し、
前記溶着部第２列は、排気流路の内向きに突出する突出部を有する、請求項５に記載の圧縮袋。
【請求項８】
逆止弁部の幅方向における内側空気口の長さは、逆止弁部の幅方向における線状の長い第１溶着部の長さよりも長く、
逆止弁部の幅方向における外側空気口の長さは、逆止弁部の幅方向における線状の長い第１溶着部の長さよりも長く、
溶着部第１列の線状の長い第１溶着部は、溶着部第２列の線状の長い第１溶着部と向き合い、逆止弁部の幅方向における溶着部第１列の線状の長い第１溶着部の長さは、溶着部第２列の線状の長い第１溶着部の長さよりも長い、請求項４ないし７のいずれかに記載の圧縮袋。
【請求項９】
前記袋体を構成する袋体形成フィルムは、ナイロンと低密度ポリエチレンとの積層構造を有し、柔軟性を有する熱溶着性フィルムで形成され、
前記袋体は、低密度ポリエチレンを内側にして収納部が形成され、
前記袋体の逆止弁部の領域は、溶着部以外の領域において、表側の袋体形成フィルムの低密度ポリエチレンと裏側の袋体形成フィルムの低密度ポリエチレンとが、平滑性を維持して密に接するように構成された、請求項１ないし８のいずれかに記載の圧縮袋。
【請求項１０】
溶着部第１列は、収納部に収容された被収納物の停止位置を構成し、袋体の左端縁側及び右端縁側に内側空気口が形成されるとともに、
溶着部第２列は、袋体の左端縁側及び右端縁側に外側空気口が形成され、
袋体の左端縁側及び右端縁側に形成された前記内側空気口と前記外側空気口とは、複数枚の袋体形成フィルムが伸びる平面方向のうち第２の端縁と直交する方向において、重ならない位置となり、複数枚の袋体形成フィルムが伸びる平面方向のうち第２の端縁と平行な位置において、並列する位置となる、請求項１ないし９のいずれかに記載の圧縮袋。
【発明の詳細な説明】
【技術分野】
【０００１】
本発明は、衣類または布団などの被収納物を収納した状態で排気することで、被収納物を圧縮し保存することができる圧縮袋に関する。
【背景技術】
【０００２】
従来から、衣類や布団などの空気を含むことにより嵩高となる被収納物を収納するための袋であって、袋の内側の空気を排気することにより大気圧で被収納物を圧縮して、コンパクトに保存することができる圧縮袋が存在する。
【０００３】
圧縮袋には、バルブを有する逆止弁を用いるものと、複数枚例えば２枚のフィルムを重ねて隙間状の流路を有する逆止弁を用いるもの（特許文献１参照）と、がある。
【０００４】
複数枚のフィルムを重ねて隙間状の流路を有する逆止弁を用いる圧縮袋は、掃除機などの空気吸引のための装置を必要とせず、人の力のみで排気することができるため、例えばキャニスタ型の掃除機を有しない単身世帯や旅行先などにおいて、簡易に被収納物を圧縮し保存することができるという利点がある。
【先行技術文献】
【特許文献】
【０００５】
【特許文献１】実公平６−６９７号公報
【発明の概要】
【発明が解決しようとする課題】
【０００６】
しかし、複数枚のフィルムを重ねて隙間状の流路を有する逆止弁を用いる圧縮袋は、複数枚のフィルムの間の狭い隙間状の流路における空気抵抗値の高さを利用して、外側の空気が圧縮袋の内側に流入することを防止するものであり、短期間例えば数日程度の期間であれば、圧縮袋に収納される被収納物の圧縮状態を維持することができるが、外側の空気が隙間状の流路を有する逆止弁から圧縮袋の内側に徐々に流入して、長期間例えば６ヶ月の期間、圧縮状態を維持することができないという問題があった。
【０００７】
そこで、本発明は、人の力のみで排気することができるとともに、被収納物の圧縮状態を長期間維持することができる圧縮袋を提供することを目的とする。
【課題を解決するための手段】
【０００８】
本発明に係る圧縮袋は、内側に被収納物を収納することができる袋体と、袋体の第１の端縁近傍に設けられ、袋体を開封／密封することができるとともに開封時に袋体に被収納物を出し入れすることができる第１のチャック部と、袋体の第２の端縁近傍に設けられ、袋体の内側の空気を袋体の外側に排気するとともに袋体の外側の空気が内側に流入することを防止する逆止弁部と、袋体の第２の端縁近傍であって逆止弁部よりも袋体の空気の排気側である外側に設けられ、袋体を開封／密封することができる第２のチャック部と、により構成される。
【０００９】
本発明に係る圧縮袋によれば、内側に被収納物を収納することができる袋体と、袋体の第１の端縁近傍に設けられ、袋体を開封／密封することができるとともに開封時に袋体に被収納物を出し入れすることができる第１のチャック部と、を有するので、第１の端縁側から被収納物を入れて袋体の内側に被収納物を収納することができるとともに、第１のチャック部を封止することによって、袋体の第１の端縁側を密封し、袋体の第１の端縁側のさらに外側から空気が袋体の内側に流入することがない。
【００１０】
そして、本発明に係る圧縮袋は、袋体の第２の端縁近傍に設けられ、袋体の内側の空気を袋体の外側に排気するとともに袋体の外側の空気が内側に流入することを防止する逆止弁部を有するので、袋体の内側に被収納物を収納した状態で、人の力により袋体に圧力をかけて、逆止弁部から袋体の内側の空気を袋体の外側に排気することができる。このとき、逆止弁部により、袋体の外側の空気は、内側に流入することを防止される。
【００１１】
さらに、本発明に係る圧縮袋は、袋体の第２の端縁近傍であって逆止弁部よりも袋体の空気の排気側である外側に設けられ、袋体を開封／密封することができる第２のチャック部を有するので、逆止弁部による空気の流入防止機能に加えて、第２のチャック部を封止することによって、袋体の第２の端縁側を密封し、第２の端縁側のさらに外側から空気が袋体の内側に流入することがない。
【００１２】
請求項２に係る圧縮袋は、さらに、次のように構成されている。すなわち、逆止弁部は、複数枚の袋体形成フィルムが部分的に第２の端縁に略沿って溶着することによって形成され、複数枚の袋体形成フィルムが溶着している部分であるとともに被収納物の第２のチャック部側への移動を阻止する部分である溶着部と、袋体の内側から袋体の外側に排気する空気が複数枚の袋体形成フィルムの間かつ溶着部の間で第２の端縁に略沿って通る排気流路と、複数枚の袋体形成フィルムが溶着していない部分であり袋体の内側に向かって排気流路を開口し袋体から排気する空気が排気流路に流入するための内側空気口と、複数枚の袋体形成フィルムが溶着していない部分であり袋体の外側に向かって排気流路を開口し袋体から排気する空気が排気流路から袋体の外側に流出するための外側空気口と、により構成され、内側空気口と外側空気口とは、複数枚の袋体形成フィルムが伸びる平面方向のうち第２の端縁と直交する方向において、重ならない位置となる、又は重なる位置となる。
【００１３】
請求項２に係る圧縮袋によれば、袋体の内側から袋体の外側に排気する空気が複数枚の袋体形成フィルムの間かつ溶着部の間で第２の端縁に略沿って通る排気流路を有する逆止弁部は、狭い隙間状の流路において高い圧力がかかるので逆止弁としての機能を奏する。
【００１４】
さらに、第２の端縁に略沿って通る排気流路を袋体の内側に向かって開口し袋体から排気する空気が排気流路に流入するための内側空気口と、袋体の外側に向かって排気流路を開口し袋体から排気する空気が排気流路から袋体の外側に流出するための外側空気口と、は、複数枚の袋体形成フィルムが伸びる平面方向のうち第２の端縁と直交する方向から見て、重ならない位置となるので、複数枚の袋体形成フィルムが伸びる平面方向のうち第２の端縁と直交する方向において、貫通する位置となっておらず、第２の端縁に略沿って通る排気流路を介して例えばクランクの一方軸と他方軸との位置関係となっている。これにより、外側空気口から排気流路を通って内側空気口にまで進入しようとする袋体の外側の空気は、外側空気口から排気流路への進入における略直角に屈曲する流路と排気流路から内側空気口への進入における略直角に屈曲する流路とを通ることとなる。そして、屈曲する流路では、空気は進行しづらくなる
【００１５】
したがって、請求項２に係る圧縮袋によれば、排気流路における圧力を更に高めることができ、圧縮状態をより長期間維持することができる。
【００１６】
請求項３に係る圧縮袋は、さらに、次のように構成されている。すなわち、溶着部は、排気流路の内向きに突出する突出部と排気流路の内向きに屈曲する屈曲部とを有する。
【００１７】
請求項３に係る圧縮袋によれば、外側空気口から排気流路を通って内側空気口にまで進入しようとする袋体の外側の空気は、溶着部の間で形成される排気流路の内向きに突出する突出部に進行を阻害されて、排気流路の中を進行しづらくなる。同様に、請求項３に係る圧縮袋によれば、外側空気口から排気流路を通って内側空気口にまで進入しようとする袋体の外側の空気は、溶着部の間で形成される排気流路の内向きに屈曲する屈曲部に進行を阻害されて、排気流路の中を進行しづらくなる。
【００１８】
したがって、請求項３に係る圧縮袋によれば、排気流路における圧力を更に高めることができ、圧縮状態をより長期間維持することができる。
【００１９】
請求項４に係る圧縮袋は、内側に被収納物を収納することができる袋体により構成され、前記袋体は、略方形であって、第１の端縁と、第１の端縁と平行な第２の端縁と、第１の端縁の左端と第２の端縁の左端とを結ぶ第３の端縁と、第１の端縁の右端と第２の端縁の右端とを結ぶ第４の端縁とを備えるとともに、略同一の平面形状を備える袋体形成フィルムが重ねられ、前記第３の端縁と第４の端縁とは連結されて、前記対向する袋体形成フィルムの対向面間に被収納物を収納するための収納部を備え、
前記袋体の第１の端縁の近傍に設けられ、袋体を開封／密封することができるとともに開封時に袋体に被収納物を出し入れすることができる第１のチャック部と、前記袋体の第２の端縁近傍に設けられ、袋体の内側の収納部の空気を袋体の外側に排気するとともに袋体の外側の空気が内側の収納部に流入することを防止する逆止弁部と、
前記袋体の第２の端縁近傍であって逆止弁部よりも袋体の空気の排気側である外側に設けられ、袋体を開封／密封することができる第２のチャック部とを含む。
【００２０】
本発明に係る圧縮袋によれば、内側に被収納物を収納することができる袋体と、袋体の第１の端縁近傍に設けられ、袋体を開封／密封することができるとともに開封時に袋体に被収納物を出し入れすることができる第１のチャック部と、を有するので、第１の端縁側から被収納物を入れて袋体の内側に被収納物を収納することができるとともに、第１のチャック部を封止することによって、袋体の第１の端縁側を密封し、袋体の第１の端縁側のさらに外側から空気が袋体の内側に流入することがない。
【００２１】
そして、本発明に係る圧縮袋は、袋体の第２の端縁近傍に設けられ、袋体の内側の空気を袋体の外側に排気するとともに袋体の外側の空気が内側に流入することを防止する逆止弁部を有するので、袋体の内側に被収納物を収納した状態で、人の力により袋体に圧力をかけて、逆止弁部から袋体の内側の空気を袋体の外側に排気することができる。このとき、逆止弁部により、袋体の外側の空気は、内側に流入することを防止される。
【００２２】
さらに、本発明に係る圧縮袋は、袋体の第２の端縁近傍であって逆止弁部よりも袋体の空気の排気側である外側に設けられ、袋体を開封／密封することができる第２のチャック部を有するので、逆止弁部による空気の流入防止機能に加えて、第２のチャック部を封止することによって、袋体の第２の端縁側を密封し、第２の端縁側のさらに外側から空気が袋体の内側に流入することがない。
【００２３】
請求項５に係る圧縮袋は、さらに、次のように構成されている。すなわち、逆止弁部は、複数枚の袋体形成フィルムが部分的に第２の端縁に略沿って溶着することによって形成され、複数枚の袋体形成フィルムが溶着している部分であるとともに被収納物の第２のチャック部側への移動を阻止する部分である溶着部と、袋体の内側から袋体の外側に排気する空気が複数枚の袋体形成フィルムの間かつ溶着部の間で第２の端縁に略沿って通る排気流路と、複数枚の袋体形成フィルムが溶着していない部分であり袋体の内側に向かって排気流路を開口し袋体から排気する空気が排気流路に流入するための内側空気口と、複数枚の袋体形成フィルムが溶着していない部分であり袋体の外側に向かって排気流路を開口し袋体から排気する空気が排気流路から袋体の外側に流出するための外側空気口と、により構成されている。
前記溶着部は、第２の端縁より離れた収納部側に形成された溶着部第１列と、第２のチャック部の近傍で形成された溶着部第２列とを有し、前記溶着部第１列と前記溶着部第２列と前記第２のチャック部とは、第２の端縁と略平行に形成され、前記溶着部第１列は、不連続で形成され、連続していない領域に内側空気口が形成され、前記溶着部第２列は、不連続で形成され、連続していない領域に外側空気口が形成されている。
【００２４】
請求項６に係る圧縮袋は、さらに、次のように構成されている。すなわち、逆止弁部は、溶着部第１列を構成する溶着部を結んだ幅方向にのびる逆止弁境界部と、前記溶着部第１列とは幅をあけて設けられた溶着部第２列を構成する溶着部を結んだ幅方向にのびる逆止弁境界部と、袋体の左側及び右側の端縁とにより囲繞された領域により構成され、溶着部第１列の溶着部と溶着部第２列の溶着部とが向き合う閉鎖領域と、溶着部第１列の溶着部と溶着部第２列の溶着部との間に形成され、表側の袋体を構成する袋体形成フィルムと裏側の袋体を構成する袋体形成フィルムとが密着する密着領域とを備える。
【００２５】
請求項７に係る圧縮袋は、前記溶着部が、排気流路の内向きに突出する突出部と排気流路の内向きに屈曲する屈曲部とを有し、前記溶着部第１列は、線状の長い第１溶着部と、短い線状または点状の第２溶着部とを有し、前記溶着部第１列は、排気流路の内向きに突出する突出部と排気流路の内向きに屈曲する屈曲部とを有し、前記溶着部第２列は、線状の長い第１溶着部と、短い線状または点状の第２溶着部とを有し、前記溶着部第２列は、排気流路の内向きに突出する突出部を有する。
【００２６】
請求項８に係る圧縮袋は、逆止弁部の幅方向における内側空気口の長さが、逆止弁部の幅方向における線状の長い第１溶着部の長さよりも長く、逆止弁部の幅方向における外側空気口の長さは、逆止弁部の幅方向における線状の長い第１溶着部の長さよりも長く、
溶着部第１列の線状の長い第１溶着部が、溶着部第２列の線状の長い第１溶着部と向き合い、逆止弁部の幅方向における溶着部第１列の線状の長い第１溶着部の長さは、溶着部第２列の線状の長い第１溶着部の長さよりも長い。
【００２７】
請求項９に係る圧縮袋は、前記袋体を構成する袋体形成フィルムが、ナイロンと低密度ポリエチレンとの積層構造を有し、柔軟性を有する熱溶着性フィルムで形成され、前記袋体が、低密度ポリエチレンを内側にして収納部が形成され、前記袋体の逆止弁部の領域が、溶着部以外の領域において、表側の袋体形成フィルムの低密度ポリエチレンと裏側の袋体形成フィルムの低密度ポリエチレンとが、平滑性を維持して密に接するように構成されている。
【００２８】
請求項１０に係る圧縮袋は、溶着部第１列が、収納部に収容された被収納物の停止位置を構成し、袋体の左端縁側及び右端縁側に内側空気口が形成されるとともに、溶着部第２列は、袋体の左端縁側及び右端縁側に外側空気口が形成され、
袋体の左端縁側及び右端縁側に形成された前記内側空気口と前記外側空気口とが、複数枚の袋体形成フィルムが伸びる平面方向のうち第２の端縁と直交する方向において、重ならない位置となり、複数枚の袋体形成フィルムが伸びる平面方向のうち第２の端縁と平行な位置において、並列する位置となる。
【発明の効果】
【００２９】
したがって、本発明に係る圧縮袋によれば、人の力のみで排気することができるとともに、被収納物の圧縮状態を長期間維持することができる。
【図面の簡単な説明】
【００３０】
【図１】本発明の第１の実施の形態に係る圧縮袋を示す平面図である。
【図２】本発明の第１の実施の形態に係る圧縮袋の逆止弁部を中心とする排気の流れを示す拡大平面図である。
【図３】本発明の第１の実施の形態に係る圧縮袋の逆止弁部を中心とする拡大断面斜視図である。
【図４】本発明の第１の実施の形態に係る圧縮袋の変形例を示す平面図である。
【図５】（ａ）は、図１のＡ−Ａ断面図である。（ｂ）は、図１のＢ−Ｂ断面図である。（ｃ）は、図１のＣ−Ｃ断面図である。
【図６】本発明の第２の実施の形態に係る圧縮袋を示す平面図である。
【図７】本発明の第２の実施の形態に係る圧縮袋の逆止弁部を中心に示す拡大平面図である。
【図８】本発明の第２の実施の形態に係る圧縮袋の逆止弁部を中心として示す拡大断面斜視図である。
【図９】本発明の第２の実施の形態に係る圧縮袋の収納部に布団を収納した状態を示す斜視図解図である。
【図１０】図9のＤ−Ｄ断面図である。
【図１１】図9のＥ−Ｅ断面図である。
【図１２】本発明の第２の実施の形態に係る圧縮袋の第２のチャック部を開いた状態における底面図解図である。
【図１３】本発明の第２の実施の形態に係る圧縮袋の変形例を示す平面図解図であり、（ａ）は全体を示す図であり、（ｂ）（ｃ）（ｄ）は部分を拡大した図である。
【図１４】本発明の第２の実施の形態に係る圧縮袋の変形例の逆止弁部を中心として示す拡大平面図である。
【図１５】本発明に係る圧縮袋に被収納物を収納した状態において排気するために圧縮する方法及び排気状態において維持する方法を示す斜視図解図である。
【発明を実施するための形態】
【００３１】
以下、本発明の第１の実施の形態に係る圧縮袋１０を添付図面を参照しつつ説明する。
【００３２】
ここで、本明細書において、圧縮袋１０に関する方向を、図１に従って次のように定義する。圧縮袋１０の内側を「内側」と、圧縮袋１０の外側を「外側」とする。図１の上側を「上側」と、図１の下側を「下側」と、図１の左側を「左側」と、図１の右側を「右側」と、する。また、図１の紙面に直交する方向を「高さ方向ないしは前後方向」とする。図１の圧縮袋１０の下端縁よりも下側を「排気側」とする。また、「上下方向」とは、圧縮袋１０に被収納物を収納して、内側の空気を排気するために圧縮袋１０を丸めて畳む方向と一致する。
【００３３】
図１に示すように、圧縮袋１０は、衣類または布団などの被収納物（図示しない）を収納した状態で排気することで、被収納物を圧縮し保存することができる収納袋である。圧縮袋１０は、袋体２０と第１のチャック部３０と逆止弁部４０と第２のチャック部５０とにより構成されている。
【００３４】
袋体２０は、圧縮袋１０の本体をなす袋体であり、内側に被収納物を収納することができる袋体である。袋体２０は、内側の収納部に被収納物を収納するための柔軟性を有している。また、袋体２０は、空気を通さない材料で形成されている。袋体２０は、前後同一形状の袋体形成フィルムが、左側の端縁と右側の端縁において連結されて筒状に形成されている。この実施の形態においては、２枚の同形状の熱溶着性フィルムである第１の熱溶着性フィルム２ａと第２の熱溶着性フィルム２ｂとが高さ方向に重なり、左端縁と右端縁とにおいて溶着された積層構造となるようにして形成されている。
そして、袋体２０は、第１の熱溶着性フィルム２ａと第２の熱溶着性フィルム２ｂとのそれぞれの端縁を溶着または後述する第１のチャック部３０、第２のチャック部５０ｄで封止することにより、内側の空気と外側の空気とを遮蔽することができる。袋体２０は、上側の直線状端縁である第１の端縁２１と、下側の直線状端縁である第２の端縁２２と、左側の直線状端縁である第３の端縁２３と、右側の直線状端縁である第４の端縁２４と、からなる周端縁を有する。第１の端縁２１は、圧縮袋１０すなわち袋体２０に被収納物を出し入れする際の出入口となる端縁である。第２の端縁２２は、第１の端縁２１に相対する端縁であるとともに、圧縮袋１０すなわち袋体２０の内側の空気を外側に排気する際の排気のための端縁であり、逆止弁部４０が設けられる端縁である。すなわち、第２の端縁２２は、袋体２０の内側の空気から見て、畳む方向である空気を排気する方向において、下流に位置する端縁である。第３の端縁２３は、第１の端縁２１の一方側端部と第２の端縁２２の一方側端部とを繋ぐ端縁であり、溶着されて封止されている端縁である。第４の端縁２４は、第３の端縁２３に対向する端縁であるとともに、第１の端縁２１の他方側端部と第２の端縁２２の他方側端部とを繋ぐ端縁であり、溶着されて封止されている端縁である。第３の端縁２３及び第４の端縁２４は、被収納物を収納しても引き剥がれない接着強度を有するように溶着された幅を有する。袋体２０は、衣類用であれば、第１の端縁２１から第２の端縁２２までの上下方向の長さが例えば４０ｃｍ〜７０ｃｍであり、第３の端縁２３から第４の端縁２４までの左右方向の長さが例えば３０ｃｍ〜５０ｃｍである。袋体２０は、布団用であれば、第１の端縁２１から第２の端縁２２までの上下方向の長さが例えば１００ｃｍ〜１３０ｃｍであり、第３の端縁２３から第４の端縁２４までの左右方向の長さが例えば７０ｃｍ〜９０ｃｍである。すなわち、袋体２０は、左右方向の長さと上下方向の長さとの比率が、衣類用であれば３：４から５：７の程度であり、布団用であれば７：１０から９：１３の程度である。
【００３５】
第１のチャック部３０は、上下に並列する２列の突条と、２列の突条に高さ方向において対向し前記突条に咬合する２列の凹条と、により構成されている。第１のチャック部３０は、袋体２０の第１の端縁２１の近傍に第１の端縁２１に沿って伸びるように設けられている。第１のチャック部３０は、２列の突条と２列の凹条とが咬合することによって、袋体２０の第１の端縁２１側を密封することができる。さらに、第１のチャック部３０は、咬合状態の２列の突条と２列の凹条とを引き離すことにより、袋体２０の第１の端縁２１側を開封することができる。さらに、第１のチャック部３０は、開封時に袋体２０に被収納物を出し入れすることができる大きさ・形状に形成されている。
【００３６】
逆止弁部４０は、人の力によって圧力を高められた袋体２０の内側の空気を袋体２０の外側に排気するとともに袋体２０の外側の空気が内側に流入することを防止するための弁の機能を果たす部分である。逆止弁部４０は、線状の溶着部分により主として形成されている。逆止弁部４０は、空気の流れを変化させることができる幅を有し、溶着部分が引き剥がれない接着強度を有している。逆止弁部４０は、袋体２０の第２の端縁２２近傍に第２の端縁２２に沿って第３の端縁２３から第４の端縁２４まで伸びるように設けられている。逆止弁部４０は、高さ方向（前後方向）に重なる第１の熱溶着性フィルム２ａと第２の熱溶着性フィルム２ｂとが部分的に第２の端縁２２に略沿って溶着することによって形成されている。逆止弁部４０の上下方向の長さは、５ｃｍ以上１０ｃｍ以下の長さであることが好ましい。また、逆止弁部４０の上下方向の長さと、逆止弁部４０の上端縁から袋体２０の第１の端縁２１までの上下方向の長さと、の比率は、衣類用であれば１：８から１：１２までであることが好ましく、布団用であれば１：１４から１：１９までであることが好ましい。
【００３７】
逆止弁部４０は、第１の熱溶着性フィルム２ａと第２の熱溶着性フィルム２ｂとが溶着している部分である溶着部４２と、袋体２０の内側から袋体２０の外側に排気する空気が第１の熱溶着性フィルム２ａと第２の熱溶着性フィルム２ｂとの間かつ溶着部４２の間で第２の端縁２２に略沿って通る排気流路４４と、第１の熱溶着性フィルム２ａと第２の熱溶着性フィルム２ｂとが溶着していない部分であり袋体２０の内側に向かって排気流路４４を開口し袋体２０から排気する空気が排気流路４４に流入するための内側空気口４６と、第１の熱溶着性フィルム２ａと第２の熱溶着性フィルム２ｂとが溶着していない部分であり袋体２０の外側に向かって排気流路４４を開口し袋体２０から排気する空気が排気流路４４から袋体２０の外側に流出するための外側空気口４８とを備えている。
【００３８】
溶着部４２は、第２の端縁２２に略沿うように袋体２０の第２の端縁２２の近傍において、第１の熱溶着性フィルム２ａと第２の熱溶着性フィルム２ｂとが溶着されて形成されている。さらに、溶着部４２は、２列略並列するように第２の端縁２２に略沿って形成されており、溶着部第１列４２ａと溶着部第２列４２ｂとにより構成されている。溶着部第１列４２ａと溶着部第２列４２ｂとは、略対向している。溶着部第１列４２ａは、溶着部第２列４２ｂよりも袋体２０の内側に配設されている。溶着部第１列４２ａは、被収納物の第２チャック５０側への移動を阻止する。
【００３９】
図２に示すように、溶着部第１列４２ａは、左から順に、溶着部第１列第１部４２ａ１と溶着部第１列第２部４２ａ２と溶着部第１列第３部４２ａ３と溶着部第１列第４部４２ａ４とを備える。溶着部第２列４２ｂは、左から順に、溶着部第２列第１部４２ｂ１と溶着部第２列第２部４２ｂ２と溶着部第２列第３部４２ｂ３とを備える。溶着部第１列第１部４２ａ１の左端部は、第３の端縁２３の溶着部分と接続している。同様に、溶着部第１列第４部４２ａ４の右端部は、第４の端縁２４の溶着部分と接続している。一方、溶着部第２列第１部４２ｂ１の左端部は、第３の端縁２３の溶着部分と接続していない。同様に、溶着部第２列第３部４２ｂ３の右端部は、第４の端縁２４の溶着部分と接続していない。
【００４０】
溶着部４２すなわち溶着部第１列４２ａと溶着部第２列４２ｂとは、その間に略筒状の隙間を形成している。そして、その隙間は、袋体２０の内側から袋体２０の外側に排気する空気が第１の熱溶着性フィルム２ａと第２の熱溶着性フィルム２ｂとの間かつ溶着部４２の間で第２の端縁２２に略沿って通る排気流路４４を形成している。
【００４１】
溶着部第１列４２ａは、図１及び図２に示すように、第２の端縁２２に沿って、溶着部第１列第１部４２ａ１と溶着部第１列第２部４２ａ２と溶着部第１列第３部４２ａ３と溶着部第１列第４部４２ａ４とが不連続となるように、すなわち、間欠的に一直線上に部分的に溶着されて形成されている。すなわち、図２に示すように、溶着部第１列４２ａの連続していない部分である溶着部第１列第１部４２ａ１と溶着部第１列第２部４２ａ２との間の部分と、溶着部第１列第２部４２ａ２と溶着部第１列第３部４２ａ３との間の部分と、溶着部第１列第３部４２ａ３と溶着部第１列第４部４２ａ４との間の部分と、は、第１の熱溶着性フィルム２ａと第２の熱溶着性フィルム２ｂとが溶着していない部分であり、袋体２０の内側に向かって排気流路４４を開口し袋体２０から排気する空気が排気流路４４に流入するための内側空気口４６を形成している。圧縮袋１０において、内側空気口４６は、１つ形成されていてもよく、複数形成されていてもよい。本実施の形態においては、内側空気口４６は、左右方向の袋体２０の中央に１つ、袋体２０の左側に１つ、袋体２０の右側に１つ、形成されることにより、比較的均一に袋体２０の内側の空気が外側に向かって排気される。
【００４２】
溶着部第２列４２ｂは、図１及び図２に示すように、第２の端縁２２に沿ってかつ溶着部第１列４２ｂよりも下側で、溶着部第２列第１部４２ｂ１と溶着部第２列第２部４２ｂ２と溶着部第２列第３部４２ｂ３とが不連続となるように、すなわち、間欠的に一直線上に部分的に溶着されて形成されている。すなわち、図２に示すように、溶着部第２列４２ｂの連続していない部分である溶着部第２列第１部４２ｂ１と溶着部第２列第２部４２ｂ２との間の部分と、溶着部第２列第２部４２ｂ２と溶着部第２列第３部４２ｂ３との間の部分と、は、第１の熱溶着性フィルム２ａと第２の熱溶着性フィルム２ｂとが溶着していない部分であり、袋体２０の外側に向かって排気流路４４を開口し袋体２０から排気する空気が排気流路４４から袋体２０の外側に流出するための外側空気口４８を形成している。圧縮袋１０において、外側空気口４８は、１つ形成されていてもよく、複数形成されていてもよい。本実施の形態においては、外側空気口４８は、左右方向において、３つの内側空気口４６の中間位置に２つ形成されている。すなわち、外側空気口４８は、内側空気口４６と略均一な間隔をおいて、形成されている。
【００４３】
そして、内側空気口４６と外側空気口４８とは、第１の熱溶着性フィルム２ａと第２の熱溶着性フィルム２ｂとが拡がる平面方向のうち第２の端縁２２と直交する方向から見て、重ならない位置となるように形成されている。すなわち、図１及び図２の下側（第２のチャック部５０側）から見て、外側空気個４８の上側（収納部側）に、内側空気口４６はない。図１及び図２の上側（収納部側）から見て、すなわち、袋体２０の内側から第２の端縁２２を見て、内側空気口４６の下側（第２のチャック部５０側）に、外側空気口４８はない。したがって、内側空気口４６と外側空気口４８とは、第１の熱溶着性フィルム２ａと第２の熱溶着性フィルム２ｂとが伸びる平面方向のうち第２の端縁２２と直交する方向から見て、貫通していない。すなわち、袋体２０の内側から外側に向かって排気される空気は、内側空気口４６から外側空気口４８に至るにあたって、進行する方向を変化させながら、内側空気口４６から外側空気口４８に至る。
【００４４】
さらに、溶着部４２は、排気流路４４の内向きに突出する突出部４２２を有する。具体的には、溶着部第１列４２ａは、第１の熱溶着性フィルム２ａと第２の熱溶着性フィルム２ｂとが伸びる平面方向のうち外側空気口４８の対向する位置に、袋体２０の外側向きすなわち排気流路４４の内向きに突出する突出部４２２を有する。同様に、溶着部第２列４２ｂは、第１の熱溶着性フィルム２ａと第２の熱溶着性フィルム２ｂとが伸びる平面方向のうち内側空気口４６の対向する位置に、袋体２０の内側向きすなわち排気流路４４の内向きに突出する突出部４２２を有する。
【００４５】
加えて、溶着部４１は、排気流路４４の内向きに屈曲する屈曲部４２４を有する。具体的には、図２に示すように、溶着部第１列第１部４２ａ１は、第１の熱溶着性フィルム２ａと第２の熱溶着性フィルム２ｂとが伸びる平面方向において、内側空気口４６を形成する右端部から、袋体２０の外側向きである下向きすなわち排気流路４４の内向きかつ右向きに屈曲するように、第１の熱溶着性フィルム２ａと第２の熱溶着性フィルム２ｂとが溶着されている部分である屈曲部４２４ａを有する。屈曲部４２４ａは、第２の端縁２２に沿う溶着部第１列第１部４２ａ１本体から鈍角の角度で屈曲している。同様に、溶着部第１列第２部４２ａ２は、内側空気口４６を形成する左端部から、袋体２０の外側向きである下向きすなわち排気流路４４の内向きかつ左向きに屈曲するように、第１の熱溶着性フィルム２ａと第２の熱溶着性フィルム２ｂとが溶着されている部分である屈曲部４２４ｂを有する。屈曲部４２４ｂは、第２の端縁２２に沿う溶着部第１列第２部４２ａ２本体から鈍角の角度で屈曲している。同様に、溶着部第１列第２部４２ａ２は、内側空気口４６を形成する右端部から、袋体２０の外側向きである下向きすなわち排気流路４４の内向きかつ右向きに屈曲するように、第１の熱溶着性フィルム２ａと第２の熱溶着性フィルム２ｂとが溶着されている部分である屈曲部４２４ｃを有する。屈曲部４２４ｃは、第２の端縁２２に沿う溶着部第１列第２部４２ａ２本体から鈍角の角度で屈曲している。以下同様に、溶着部第１列第３部４２ａ３は、内側空気口４６を形成する左端部から、排気流路４４の内向きかつ左向きに屈曲するように、屈曲部４２４ｄを有する。溶着部第１列第３部４２ａ３は、内側空気口４６を形成する右端部から、排気流路４４の内向きかつ右向きに屈曲するように、屈曲部４２４ｅを有する。溶着部第１列第４部４２ａ４は、内側空気口４６を形成する左端部から、排気流路４４の内向きかつ左向きに屈曲するように、屈曲部４２４ｆを有する。屈曲部４２４ｄ及び屈曲部４２４ｅは、第２の端縁２２に沿う溶着部第１列第３部４２ａ３本体から鈍角の角度で屈曲している。屈曲部４２４ｆは、第２の端縁２２に沿う溶着部第１列第４部４２ａ４本体から鈍角の角度で屈曲している。すなわち、内側空気口４６を挟むように対向する屈曲部４２４同士は、排気流路４４の内側にかけて接近するように屈曲している。すなわち、溶着部第１列第１部４２ａ１と溶着部第１列第２部４２ａ２との間に形成された内側空気口４６は、屈曲部４２４ａと屈曲部４２４ｂとの間の間隔が排気流路４４の内に進むにかけて漸減するテーパー形状となっている。同様に、溶着部第１列第２部４２ａ２と溶着部第１列第３部４２ａ３との間に形成された内側空気口４６は、屈曲部４２４ｃと屈曲部４２４ｄとの間の間隔が排気流路４４の内に進むにかけて漸減するテーパー形状となっている。同様に、溶着部第１列第３部４２ａ３と溶着部第１列第４部４２ａ４との間に形成された内側空気口４６は、屈曲部４２４ｅと屈曲部４２４ｆとの間の間隔が排気流路４４の内に進むにかけて漸減するテーパー形状となっている。
【００４６】
同様に、溶着部第２列第１部４２ｂ１は、図２に示すように、第１の熱溶着性フィルム２ａと第２の熱溶着性フィルム２ｂとが伸びる平面方向において、外側空気口４８を形成する右端部から、袋体２０の内側向きである上向きすなわち排気流路４４の内向きかつ左向きに屈曲するように、第１の熱溶着性フィルム２ａと第２の熱溶着性フィルム２ｂとが溶着されている部分である屈曲部４２４ｇを有する。屈曲部４２４ｇは、第２の端縁２２に沿う溶着部第２列第１部４２ｂ１本体から鋭角の角度で屈曲している。以下同様に、溶着部第２列第２部４２ｂ２は、外側空気口４８を形成する左端部から、排気流路４４の内向きかつ右向きに屈曲するように、屈曲部４２４ｈを有する。溶着部第２列第２部４２ｂ２は、外側空気口４８を形成する右端部から、排気流路４４の内向きかつ左向きに屈曲するように、屈曲部４２４ｉを有する。溶着部第２列第３部４２ｂ３は、外側空気口４８を形成する左端部から、排気流路４４の内向きかつ右向きに屈曲するように、屈曲部４２４ｊを有する。屈曲部４２４ｇは、第２の端縁２２に沿う溶着部第２列第１部４２ｂ１本体から鋭角の角度で屈曲している。屈曲部４２４ｈ及び屈曲部４２４ｉは、第２の端縁２２に沿う溶着部第２列第２部４２ｂ２本体から鋭角の角度で屈曲している。屈曲部４２４ｊは、第２の端縁２２に沿う溶着部第２列第３部４２ｂ３本体から鋭角の角度で屈曲している。すなわち、外側空気口４８を挟むように対向する屈曲部４２４同士は、排気流路４４の内側にかけて離間するように屈曲している。すなわち、溶着部第２列第１部４２ｂ１と溶着部第２列第２部４２ｂ２との間に形成された外側空気口４８は、屈曲部４２４ｇと屈曲部４２４ｈとの間の間隔が排気流路４４の内に進むにかけて漸増するテーパー形状となっている。同様に、溶着部第２列第２部４２ｂ２と溶着部第２列第３部４２ｂ３との間に形成された外側空気口４８は、屈曲部４２４ｉと屈曲部４２４ｊとの間の間隔が排気流路４４の内に進むにかけて漸増するテーパー形状となっている。
【００４７】
溶着部第１列が有する屈曲部４２４ａ、４２４ｂ、４２４ｃ、４２４ｄ、４２４ｅ及び４２４ｆにおける排気流路４４内向きの先端と、溶着部第２列が有する屈曲部４２４ｇ、４２４ｈ、４２４ｉ及び４２４ｊにおける排気流路４４内向きの先端と、は、第２の端縁２２に直交する方向である上下方向においてその位置がそろうように、形成されている。これにより、排気流路４４の中における空気抵抗値の高さは、逆止弁部４０の逆止弁としての機能すなわち袋体２０の内側の空気が逆止弁部４０を通過して袋体２０の外側に排気されることができる一方で袋体２０の外側の空気が逆止弁部４０を通過して袋体２０の内側に流入することを防止する機能を発揮するために、必要十分な圧力の高さとなる。
【００４８】
第２のチャック部５０は、第１のチャック部３０と同様に、上下に並列する２列の突条と、２列の突条に高さ方向に対向し突条を咬合する２列の凹条と、により構成されている。第２のチャック部５０は、袋体２０の第２の端縁２２近傍に第２の端縁２２に沿って伸びるように設けられている。さらに、第２のチャック部５０は、袋体２０の第２の端縁２２近傍であって逆止弁部４０よりも袋体２０の空気の排気側である外側に設けられている。第２のチャック部５０は、２列の突条と２列の凹条とが咬合することによって、袋体２０の第２の端縁２２側を密封することができる。さらに、第２のチャック部５０は、咬合状態の２列の突条と２列の凹条とを引き離すことにより、袋体２０の第２の端縁２２側を開封し、逆止弁部４０を袋体２０の内側から外側に向かって通過してきた空気を袋体２０の外側に排気することができる。
【００４９】
（作用効果）
圧縮袋１０によれば、内側に被収納物を収納することができる袋体２０と、袋体２０の第１の端縁２１近傍に設けられ、袋体２０を開封／密封することができるとともに開封時に袋体２０に被収納物を出し入れすることができる第１のチャック部３０と、を有するので、第１の端縁２１側から被収納物を入れて袋体２０の内側に被収納物を収納することができるとともに、第１のチャック部３０を封止することによって、袋体２０の第１の端縁２１側を密封し、袋体２０の第１の端縁２１側のさらに外側から空気が袋体２０の内側に流入することがない。
【００５０】
そして、圧縮袋１０は、図２に示すように、袋体２０の第２の端縁２２近傍に設けられ、袋体２０の内側の空気を袋体２０の外側に排気するとともに袋体２０の外側の空気が内側に流入することを防止する逆止弁部４０を有するので、袋体２０の内側に被収納物を収納した状態で、人の力により袋体２０に圧力をかけて、逆止弁部４０から袋体２０の内側の空気ａｉｒを袋体の外側に排気することができる。このとき、逆止弁部４０により、袋体２０の外側の空気は、内側に流入することを防止される。
【００５１】
さらに、圧縮袋１０は、袋体２０の第２の端縁２２近傍であって逆止弁部４０よりも袋体２０の空気の排気側である外側に設けられ、袋体２０を開封／密封することができる第２のチャック部５０を有するので、逆止弁部４０による空気の流入防止機能に加えて、第２のチャック部５０を封止することによって、袋体２０の第２の端縁２２側を密封し、第２の端縁２２側のさらに外側から空気が袋体の内側に進入することがない。
【００５２】
加えて、圧縮袋１０によれば、袋体２０の内側から袋体２０の外側に排気する空気ａｉｒが第１の熱溶着性フィルム２ａと第２の熱溶着性フィルム２ｂとの間かつ溶着部第１列４２ａと溶着部第２列４２ｂとの間で第２の端縁２２に略沿って通る排気流路４４を有する逆止弁部４０は、狭い隙間状の流路において高い圧力がかかるので逆止弁としての機能を奏する。
【００５３】
さらに、第２の端縁２２に略沿って通る排気流路４４を袋体２０の内側に向かって開口し袋体２０から排気する空気が排気流路４４に流入するための内側空気口４６と、袋体２０の外側に向かって排気流路４４を開口し袋体２０から排気する空気が排気流路４４から袋体２０の外側に流出するための外側空気口４８と、は、第１の熱溶着性フィルム２ａと第２の熱溶着性フィルム２ｂとが伸びる平面方向のうち第２の端縁２２と直交する方向から見て、重ならない位置となるので、第１の熱溶着性フィルム２ａと第２の熱溶着性フィルム２ｂとが伸びる平面方向のうち第２の端縁２２と直交する方向において、貫通する位置となっておらず、第２の端縁２２に略沿って通る排気流路４４を介して例えばクランクの一方軸と他方軸との位置関係となっている。これにより、外側空気口４８から排気流路４４を通って内側空気口４６にまで進入しようとする袋体２０の外側の空気は、外側空気口４８から排気流路４４への進入における略直角に屈曲する流路と排気流路４４から内側空気口４６への進入における略直角に屈曲する流路とを通ることとなる。そして、屈曲する流路では、空気は進行しづらくなる。
【００５４】
したがって、圧縮袋１０によれば、排気流路４４における圧力を更に高めることができ、圧縮状態をより長期間維持することができる。
【００５５】
加えて、圧縮袋１０によれば、外側空気口４８から排気流路４４を通って内側空気口４６にまで進入しようとする袋体２０の外側の空気は、溶着部第１列４２ａと溶着部第２列４２ｂとの間で形成される排気流路４４の内向きに突出する突出部４２２に進行を阻害されて、排気流路４４の中を進行しづらくなる。
【００５６】
同様に、圧縮袋１０によれば、外側空気口４８から排気流路４４を通って内側空気口４６にまで進入しようとする袋体２０の外側の空気は、溶着部第１列４２ａと溶着部第２列４２ｂとの間で形成される排気流路４４の内向きに屈曲する屈曲部４２４に進行を阻害されて、排気流路４４の中を進行しづらくなる。
【００５７】
したがって、圧縮袋１０によれば、排気流路４４における圧力を更に高めることができ、圧縮状態をより長期間維持することができる。
【００５８】
以上より、圧縮袋１０によれば、人の力のみで排気することができるとともに、被収納物の圧縮状態を長期間維持することができる。
【００５９】
（変形例）
図４に示すように、圧縮袋１０において、溶着部第２列４２ｂには、屈曲部４２４が形成されていなくてもよい。この場合でも、溶着部第１列４２ａに形成される屈曲部４２４と、溶着部第１列４２ａ及び溶着部第２列４２ｂに形成される突出部４２２と、により、排気流路４４における空気抵抗値の高さを更に高めることができ、圧縮状態をより長期間維持することができる。
【００６０】
逆止弁部４０は、上述の実施の形態では、第１の熱溶着性フィルム２ａと第２の熱溶着性フィルム２ｂとからなる２枚の熱溶着性フィルムが高さ方向に重なって部分的に溶着されることにより構成されるものを説明したが、３枚以上の熱溶着性フィルムが高さ方向に重なって部分的に溶着されて構成されるものであってもよい。すなわち、逆止弁部４０は、複数枚の熱溶着性フィルムが部分的に第２の端縁２２に略沿って溶着することによって
形成されていてもよい。
【００６１】
第１のチャック部３０と第２のチャック部５０とは、上述の実施の形態では、それぞれ、上下に並列する２列の突条と、２列の突条に高さ方向に対向し突条を咬合する２列の凹条と、により構成されるものを説明したが、上下に並列する３列以上の突条と、３列以上の突条に高さ方向に対向し突条を咬合する３列以上の凹条と、により構成されるものであってもよく、また、１列の突条と１列の突条に高さ方向に対向し突条を咬合する１列の凹条とにより構成されるものであってもよい。
【００６２】
以下、本発明の第２の実施の形態に係る圧縮袋１０１０を添付図面を参照しつつ説明する。
【００６３】
図６に示すように、圧縮袋１０１０は、衣類または布団などの被収納物（図示しない）を収納した状態で排気することで、被収納物を圧縮し保存することができる収納袋である。
圧縮袋１０１０は、袋体１０２０と第１のチャック部１０３０と逆止弁部１０４０と第２のチャック部１０５０とにより構成されている。
【００６４】
袋体１０２０は、圧縮袋１０１０の本体をなす袋体であり、内側に被収納物を収納することができる袋体である。袋体１０２０は、内側の収納部に被収納物を収納するための柔軟性を有している。
また、袋体１０２０は、空気を通さない材料で形成されている。袋体１０２０は、前後同一形状の袋体形成フィルムが、左側の端縁と右側の端縁において連結されて筒状に形成されている。
この実施の形態においては、２枚の同形状の熱溶着性フィルムである第１の熱溶着性フィルム１００２ａと第２の熱溶着性フィルム１００２ｂとが高さ方向に重なり、左端縁と右端縁とにおいて溶着された積層構造となるようにして形成されている。
【００６５】
前記袋体１０２０を構成する袋体形成フィルムは、ナイロンと低密度ポリエチレン（Low Density Polyethylene）との積層構造を有し、柔軟性を有する熱溶着性フィルムで形成されている。ナイロンは１０〜２０μｍの厚さ、低密度ポリエチレンは３０〜６０μｍの厚さで低温融着できる性質を有している。
前記袋体１０２０は、低密度ポリエチレンを内側にして収納部が形成され、前記袋体の逆止弁部１０４０の領域は、溶着部以外の領域において、表側の袋体形成フィルムの低密度ポリエチレンと裏側の袋体形成フィルムの低密度ポリエチレンとが、平滑性を維持して密に接するように構成されている。
【００６６】
そして、袋体１０２０は、第１の熱溶着性フィルム１００２ａと第２の熱溶着性フィルム１００２ｂとのそれぞれの端縁を溶着または後述する第１のチャック部１０３０、第２のチャック部１０５０ｄで封止することにより、内側の空気と外側の空気とを遮蔽することができる。
袋体１０２０は、上側の直線状端縁である第１の端縁１０２１と、下側の直線状端縁である第２の端縁１０２２と、左側の直線状端縁である第３の端縁１０２３と、右側の直線状端縁である第４の端縁１０２４と、からなる周端縁を有する。第１の端縁１０２１は、圧縮袋１０１０すなわち袋体１０２０に被収納物を出し入れする際の出入口となる端縁である。第２の端縁１０２２は、第１の端縁１０２１に相対する端縁であるとともに、圧縮袋１０１０すなわち袋体１０２０の内側の空気を外側に排気する際の排気のための端縁であり、逆止弁部１０４０が設けられる端縁である。すなわち、第２の端縁１０２２は、袋体１０２０の内側の空気から見て、畳む方向である空気を排気する方向において、下流に位置する端縁である。第３の端縁１０２３は、第１の端縁１０２１の一方側端部と第２の端縁１０２２の一方側端部とを繋ぐ端縁であり、溶着されて封止されている端縁である。第４の端縁１０２４は、第３の端縁１０２３に対向する端縁であるとともに、第１の端縁１０２１の他方側端部と第２の端縁１０２２の他方側端部とを繋ぐ端縁であり、溶着されて封止されている端縁である。第３の端縁１０２３及び第４の端縁１０２４は、被収納物を収納しても引き剥がれない接着強度を有するように溶着された幅を有する。
袋体１０２０は、衣類用であれば、第１の端縁１０２１から第２の端縁１０２２までの上下方向の長さが例えば４０ｃｍ〜７０ｃｍであり、第３の端縁１０２３から第４の端縁１０２４までの左右方向の長さが例えば３０ｃｍ〜５０ｃｍである。袋体１０２０は、布団用であれば、第１の端縁１０２１から第２の端縁１０２２までの上下方向の長さが例えば１００ｃｍ〜１３０ｃｍであり、第３の端縁１０２３から第４の端縁１０２４までの左右方向の長さが例えば７０ｃｍ〜９０ｃｍである。すなわち、袋体１０２０は、左右方向の長さと上下方向の長さとの比率が、衣類用であれば３：４から５：７の程度であり、布団用であれば７：１０から９：１３の程度である。
【００６７】
第１のチャック部１０３０は、上下に並列する２列の突条と、２列の突条に高さ方向において対向し前記突条に咬合する２列の凹条と、により構成されている。
第１のチャック部１０３０は、袋体１０２０の第１の端縁１０２１の近傍において、第１の端縁１０２１に沿って伸びるように設けられている。
第１のチャック部１０３０は、２列の突条と２列の凹条とが咬合することによって、袋体１０２０の第１の端縁１０２１側を密封することができる。さらに、第１のチャック部１０３０は、咬合状態の２列の突条と２列の凹条とを引き離すことにより、袋体１０２０の第１の端縁１０２１側を開封することができる。さらに、第１のチャック部１０３０は、開封時に袋体１０２０の収納部に被収納物を出し入れすることができる大きさ・形状に形成されている。
【００６８】
逆止弁部１０４０は、人の力によって圧力を高められた袋体１０２０の内側の空気を袋体１０２０の外側に排気するとともに袋体１０２０の外側の空気が内側に流入することを防止するための弁の機能を果たす部分である。
逆止弁部１０４０は、線状の溶着部１０４２により囲繞された、平面視横長長方形状の空間であって、密着領域１０７２及び閉鎖領域１０７０を含む。
逆止弁部１０４０は、主として線状の溶着部分により形成されている。逆止弁部１０４０は、空気の流れを変化させることができる幅を有し、溶着部分が引き剥がれない接着強度を有している。逆止弁部１０４０は、袋体１０２０の第２の端縁１０２２近傍に第２の端縁１０２２に沿って第３の端縁１０２３から第４の端縁１０２４まで伸びるように設けられている。
逆止弁部１０４０は、高さ方向（前後方向）に重なる第１の熱溶着性フィルム１００２ａと第２の熱溶着性フィルム１００２ｂとが部分的に第２の端縁１０２２に略沿って溶着することによって形成されている。
逆止弁部１０４０の上下方向の長さは、５ｃｍ以上１０ｃｍ以下の長さであることが好ましい。また、逆止弁部１０４０の上下方向の長さと、逆止弁部１０４０の上端縁から袋体１０２０の第１の端縁１０２１までの上下方向の長さと、の比率は、衣類用であれば１：８から１：１２までであることが好ましく、布団用であれば１：１４から１：１９までであることが好ましい。
【００６９】
前記逆止弁部１０４０は、複数枚の袋体形成フィルム（第１の熱溶着性フィルム１００２ａ、第２の熱溶着性フィルム１００２ｂ）が部分的に第２の端縁１０２２に略沿って溶着することによって形成され、
複数枚の袋体形成フィルム（第１の熱溶着性フィルム１００２ａ、第２の熱溶着性フィルム１００２ｂ）が溶着している部分であるとともに被収納物の第２のチャック部１０５０側への移動を阻止する部分である溶着部１０４２と、袋体の内側から袋体の外側に排気する空気が複数枚の袋体形成フィルムの間かつ溶着部の間で、第２の端縁１０２２と直交ないしは斜交する方向に通る排気流路１０４４と、複数枚の袋体形成フィルムが溶着していない部分であり袋体の内側に向かって排気流路１０４４を開口し袋体から排気する空気が排気流路に流入するための内側空気口１０４６と、複数枚の袋体形成フィルムが溶着していない部分であり袋体の外側に向かって排気流路を開口し袋体から排気する空気が排気流路から袋体の外側に流出するための外側空気口１０４８と、により構成されている。
【００７０】
前記溶着部１０４２は、第２の端縁１０２２より離れた収納部側に形成された溶着部第１列１０４２ａと、第２のチャック部１０５０の近傍で形成された溶着部第２列１０４２ｂとを有し、前記溶着部第１列１０４２ａと前記溶着部第２列１０４２ｂと前記第２のチャック部１０５０とは、第２の端縁１０２２と略平行に形成されている。
【００７１】
前記溶着部第１列１０４２ａは、不連続で形成され、連続していない領域に内側空気口１０４６が形成され、前記溶着部第２列１０４２ｂは、不連続で形成され、連続していない領域に外側空気口１０４８が形成されている。
【００７２】
逆止弁部１０４０は、溶着部第１列１０４２ａを構成する溶着部の収納部側の端縁を結んだ幅方向にのびる逆止弁境界部１０６０と、前記溶着部第１列１０４２ａとは幅をあけて設けられた溶着部第２列を構成する溶着部の第２の端縁１０２２側の端縁を結んだ幅方向にのびる逆止弁境界部１０６２と、袋体１０２０の左側の端縁（第３の端縁１０２３）及び右側の端縁（第４の端縁１０２４）とにより囲繞された領域により構成されている。
【００７３】
逆止弁部１０４０は、溶着部第１列１０４２ａの溶着部と溶着部第２列１０４２ｂの溶着部とが向き合う閉鎖領域１０７０と、溶着部第１列１０４２ａの溶着部と溶着部第２列１０４２ｂの溶着部との間に形成され、表側の袋体形成フィルムと裏側の袋体形成フィルムとが密着する密着領域１０７２とを備えている。
密着領域１０７２は、溶着部第１列を構成する溶着部を結んだ幅方向にのびる逆止弁境界部１０６０から第２のチャック部１０５０にかけて拡がる領域である。
この実施の形態においては、密着領域１０７２は、隣接する溶着部第１列の線状の長い第１溶着部１０４２ａ１と溶着部第１列の短い線状または点状の第２溶着部１０４２ａ２との間において溶着部第１列を構成する溶着部を結んだ幅方向にのびる逆止弁境界部１０６０から第２のチャック部１０５０にかけて拡がる領域である。
【００７４】
溶着部１０４２は、第２の端縁１０２２に略沿うように袋体１０２０の第２の端縁１０２２の近傍において、第１の熱溶着性フィルム１００２ａと第２の熱溶着性フィルム１００２ｂとが溶着されて形成されている。さらに、溶着部１０４２は、２列略並列するように第２の端縁１０２２に略沿って形成されており、溶着部第１列１０４２ａと溶着部第２列１０４２ｂとにより構成されている。
溶着部第１列１０４２ａと溶着部第２列１０４２ｂとは、略対向している。溶着部第１列１０４２ａは、溶着部第２列１０４２ｂよりも袋体１０２０の内側に配設されている。
溶着部第１列１０４２ａは、被収納物の第２チャック１０５０側への移動を阻止する。
【００７５】
図７に示すように、溶着部第１列１０４２ａは、左から順に、溶着部第１列第１部１０４２ａ１と、溶着部第１列第２部１０４２ａ２と、溶着部第１列第３部１０４２ａ３と、溶着部第１列第４部１０４２ａ４と、溶着部第１列第５部１０４２ａ５とを備える。
溶着部第２列１０４２ｂは、左から順に、溶着部第２列第１部１０４２ｂ１と、溶着部第２列第２部１０４２ｂ２と、溶着部第２列第３部１０４２ｂ３と、溶着部第２列第４部１０４２ｂ４と、溶着部第２列第５部１０４２ｂ５とを備える。
【００７６】
溶着部第１列の線状の長い第１溶着部１０４２ａ１と溶着部第２列の線状の長い第１溶着部１０４２ｂ１の組と、適宜な幅（空間）をおいて隣接する溶着部第１列の短い線状または点状の第２溶着部１０４２ａ２と溶着部第２列の短い線状または点状の第２溶着部１０４２ｂ２の組とは、組み合わせて一揃えとなるように構成されている。
この実施の形態においては、組み合わせて一揃えとなった溶着部第１列の線状の長い第１溶着部１０４２ａ１と溶着部第２列の線状の長い第１溶着部１０４２ｂ１の組が二つ揃って幅方向（左右方向）に連続して、併進対称性をもって並んでいる。
【００７７】
溶着部第２列第３部１０４２ｂ３及び溶着部第２列第５部１０４２ｂ５は、溶着部第２列の線状の長い第１溶着部１０４２ｂ１と同一であり、溶着部第２列第４部１０４２ｂ４は、溶着部第２列の短い線状または点状の第２溶着部１０４２ｂ２と同一である。
【００７８】
最も右端の溶着部第１列の短い線状または点状の第２溶着部１０４２ａ２と溶着部第２列の短い線状または点状の第２溶着部１０４２ｂ２の組は、その縦方向における中央において分断されて、その左側に隣接する溶着部第１列の線状の長い第１溶着部１０４２ａ１と溶着部第２列の線状の長い第１溶着部１０４２ｂ１側である左側のみがポイントシール部１０４２ａ９とポイントシール部１０４２ｂ９の組として存在している。
最も左端の溶着部第１列の短い線状または点状の第２溶着部１０４２ａ２と溶着部第２列の短い線状または点状の第２溶着部１０４２ｂ２の組は、その縦方向における中央において分断されて、その右側に隣接する溶着部第１列の線状の長い第１溶着部１０４２ａ１と溶着部第２列の線状の長い第１溶着部１０４２ｂ１側である右側のみが、ポイントシール部１０４２ａ９とポイントシール部１０４２ｂ９の組として存在している。
【００７９】
溶着部１０４２すなわち溶着部第１列１０４２ａと溶着部第２列１０４２ｂとは、その間に略筒状の隙間を形成している。そして、その隙間は、袋体１０２０の内側から袋体１０２０の外側に排気する空気が第１の熱溶着性フィルム１００２ａと第２の熱溶着性フィルム１００２ｂとの間かつ溶着部１０４２の間で第２の端縁１０２２に略沿って通る排気流路１０４４を形成している。
【００８０】
溶着部第１列１０４２ａは、図６及び図７に示すように、第２の端縁１０２２に沿って、溶着部第１列第１部１０４２ａ１と溶着部第１列第２部１０４２ａ２と溶着部第１列第３部１０４２ａ３と溶着部第１列第４部１０４２ａ４と溶着部第１列第５部１０４２ａ５とが不連続となるように、すなわち、間欠的に一直線上に部分的に溶着されて形成されている。すなわち、図７に示すように、溶着部第１列１０４２ａの連続していない部分である溶着部第１列第１部１０４２ａ１と溶着部第１列第２部１０４２ａ２との間の部分と、溶着部第１列第２部１０４２ａ２と溶着部第１列第３部１０４２ａ３との間の部分と、溶着部第１列第３部１０４２ａ３と溶着部第１列第４部１０４２ａ４との間の部分と、溶着部第１列第４部１０４２ａ４と溶着部第１列第５部１０４２ａ５との間の部分は、第１の熱溶着性フィルム１００２ａと第２の熱溶着性フィルム１００２ｂとが溶着していない部分であり、袋体１０２０の内側に向かって排気流路１０４４を開口し袋体１０２０から排気する空気が排気流路１０４４に流入するための内側空気口１０４６を形成している。
圧縮袋１０１０において、内側空気口１０４６は、１つ形成されていてもよく、複数形成されていてもよい。
本実施の形態においては、内側空気口１０４６は、左右方向の袋体１０２０の中間領域に４つ、袋体１０２０の左側に１つ、袋体１０２０の右側に１つ、形成されることにより、比較的均一に袋体１０２０の内側の空気が外側に向かって排気される。
【００８１】
前記溶着部１０４２は、流路の向きに突出する突出部１４２２と流路の向きに屈曲する屈曲部１４２４とを有している。
前記溶着部第１列１０４２ａは、線状の長い第１溶着部１０４２ａ１と、溶着部第１列の短い線状または点状の第２溶着部１０４２ａ２とを有している。
前記溶着部第１列１０４２ａは、流路の向きに突出する突出部１４２２ａ１と流路の向きに屈曲する屈曲部１４２４ａ１とを有している。
前記溶着部第２列１０４２ｂは、線状の長い第１溶着部１０４２ｂ１と、短い線状または点状の第２溶着部１０４２ｂ２とを有している。
前記溶着部第２列１０４２ｂは、流路の向きに突出する突出部１４２２ｂ１を有している。
【００８２】
溶着部第１列１０４２ａは、収納部に収容された被収納物の停止位置を構成し、袋体の左端縁側及び右端縁側に内側空気口１０８０が形成されている。
溶着部第２列１０４２ｂは、袋体の左端縁側及び右端縁側に外側空気口１０８２が形成されている。
袋体の左端縁側及び右端縁側に形成された前記内側空気口１０８０と前記外側空気口１０８２とは、複数枚の袋体形成フィルムが伸びる平面方向のうち第２の端縁１０２２と直交する方向において重ならない位置となり、複数枚の袋体形成フィルムが伸びる平面方向のうち第２の端縁１０２２と平行な位置において、並列する位置となる。
【００８３】
溶着部第２列１０４２ｂは、図６及び図７に示すように、第２の端縁１０２２に沿ってかつ溶着部第１列１０４２ｂよりも下側で、溶着部第２列第１部１０４２ｂ１と溶着部第２列第２部１０４２ｂ２と溶着部第２列第３部１０４２ｂ３と溶着部第２列第４部１０４２ｂ４と溶着部第２列第５部１０４２ｂ５とが不連続となるように、すなわち、間欠的に一直線上に部分的に溶着されて形成されている。
すなわち、図７に示すように、溶着部第２列１０４２ｂの連続していない部分である溶着部第２列第１部１０４２ｂ１と溶着部第２列第２部１０４２ｂ２との間の部分と、溶着部第２列第２部１０４２ｂ２と溶着部第２列第３部１０４２ｂ３との間の部分と、溶着部第２列第３部１０４２ｂ３と溶着部第２列第４部１０４２ｂ４との間の部分と、溶着部第２列第４部１０４２ｂ４と溶着部第２列第５部１０４２ｂ５との間の部分とは、第１の熱溶着性フィルム１００２ａと第２の熱溶着性フィルム１００２ｂとが溶着していない部分であり、袋体１０２０の外側に向かって排気流路１０４４を開口し袋体１０２０から排気する空気が排気流路１０４４から袋体１０２０の外側に流出するための外側空気口１０４８を形成している。
圧縮袋１０１０において、外側空気口１０４８は、１つ形成されていてもよく、複数形成されていてもよい。
本実施の形態においては、外側空気口１０４８は、左右方向においての袋体１０２０の中間領域に４つあり、４つの内側空気口１０４６と同一位置に４つ形成されている。すなわち、外側空気口１０４８は、内側空気口１０４６と略均一な間隔をおいて、形成されている。
【００８４】
そして、内側空気口１０４６と外側空気口１０４８とは、第１の熱溶着性フィルム１００２ａと第２の熱溶着性フィルム１００２ｂとが拡がる平面方向のうち第２の端縁１０２２と直交する方向から見て、重なる位置となるように形成されている。そして、図６及び図７の下側（第２のチャック部１０５０側）から見て、外側空気口１０４８の上側（収納部側）に、内側空気口１０４６が存在する。図６及び図７の上側（収納部側）から見て、すなわち、袋体１０２０の内側から第２の端縁１０２２を見て、内側空気口１０４６の下側に、外側空気口１０４８が存在する。
内側空気口１０４６と外側空気口１０４８とは、第１の熱溶着性フィルム１００２ａと第２の熱溶着性フィルム１００２ｂとが拡がる平面方向のうち第２の端縁１０２２と直交する方向から見て、貫通している。
袋体１０２０の内側の収納部から外側に向かって排気される空気は、溶着部第１列の線状の長い第１溶着部１０４２ａ１の上側にあたり、内側空気口１０４６から外側空気口１０４８に至るにあたって、進行する方向を変化させながら、内側空気口１０４６から外側空気口１０４８に至る。
そして、内側空気口１０４６から外側空気口１０４８に至る間に、その一部は、溶着部第１列の線状の長い第１溶着部１０４２ａ１と溶着部第２列の線状の長い第１溶着部１０４２ｂ１との間に流れ込むと共に、溶着部第１列の短い線状または点状の第２溶着部１０４２ａ２と溶着部第２列の短い線状または点状の第２溶着部１０４２ｂ２との間に流れ込み、それらの間を流れながら外側空気口１０４８に至る。
【００８５】
逆止弁部１０４０の幅方向における内側空気口の長さは、逆止弁部１０４０の幅方向における線状の長い第１溶着部の長さよりも長く、  逆止弁部１０４０の幅方向における外側空気口の長さは、逆止弁部１０４０の幅方向における線状の長い第１溶着部の長さよりも長い。
溶着部第１列１０４２ａの線状の長い第１溶着部１０４２ａ１は、溶着部第２列１０４２ｂの線状の長い第１溶着部１０４２ｂ１と向き合い、逆止弁部１０４０の幅方向における溶着部第１列の線状の長い第１溶着部の長さは、溶着部第２列１０４２ｂの線状の長い第１溶着部の長さよりも長い。
【００８６】
さらに、溶着部１０４２は、排気流路１０４４の内向きに突出する突出部１４２２を有する。
具体的には、溶着部第１列１０４２ａは、第１の熱溶着性フィルム１００２ａと第２の熱溶着性フィルム１００２ｂとが拡がる平面方向において溶着部第２列１０４２ｂと対向する位置に、袋体１０２０の外側向きすなわち排気流路１０４４の内向きに突出する突出部１４２２を有する。同様に、溶着部第２列１０４２ｂは、第１の熱溶着性フィルム１００２ａと第２の熱溶着性フィルム１００２ｂとが拡がる平面方向において溶着部第１列の線状の長い第１溶着部１０４２ａ１と対向する位置に、袋体１０２０の内側向きすなわち排気流路１０４４の内向きに突出する突出部１４２２を有する。
【００８７】
溶着部第１列の線状の長い第１溶着部１０４２ａ１と、前記第１溶着部１０４２ａ１の幅方向における中央において形成された溶着部第１列の流路の向きに突出する第１突出部１４２２ａ１とは、一体的に形成されている。
溶着部第１列の短い線状または点状の第２溶着部１０４２ａ２と、前記第２溶着部１０４２ａ２の幅方向における中央において形成された溶着部第１列の流路の向きに突出する第２突出部１４２２ａ２とは、一体的に形成されている。
【００８８】
溶着部第２列の線状の長い第１溶着部１０４２ｂ１と、前記第１溶着部１０４２ｂ１の幅方向における中央において形成された溶着部第２列の流路の向きに突出する突出部１４２２ｂ１とは一体的に形成されている。
【００８９】
溶着部第１列の線状の長い第１溶着部１０４２ａ１と溶着部第２列の線状の長い第１溶着部１０４２ｂ１とは逆止弁効果を果たすために、適宜な間隔をおいて対向し、且つ、溶着部第１列の流路の向きに突出する第１突出部１４２２ａ１と溶着部第２列の流路の向きに突出する突出部１４２２ｂ１とは、接着力強化及び逆止弁効果を果たすために適宜な間隔をおいて対向している。
【００９０】
溶着部第１列の流路の向きに突出する第１突出部１４２２ａ１と溶着部第２列の流路の向きに突出する突出部１４２２ｂ１との間の間隔を狭くしたのは、それらの左側と右側との間において、空気が流れにくいようにする為である。
圧縮袋１０１０の収納部に入った空気を内側空気口１０４６及び外側空気口１０４８から外側に抜くとき、溶着部第１列の流路の向きに突出する第１突出部１４２２ａ１と溶着部第２列の流路の向きに突出する突出部１４２２ｂ１との間に形成された狭い流路で止められて外側空気口１０４８の方に流れ出る。
【００９１】
外側空気口１０４８から収納部に向けて逆流する空気は溶着部第１列の線状の長い第１溶着部１０４２ａで堰き止められて溶着部第２列の線状の長い第１溶着部１０４２ｂ１との間に滞留し、内側空気口１０４６の方に流れにくく、外側から空気が袋体の内側に侵入することを防ぐことができる。
【００９２】
加えて、溶着部１０４１は、排気流路１０４４の内向きに屈曲する屈曲部１４２４を有する。具体的には、図７に示すように、溶着部第１列第１部１０４２ａ１は、第１の熱溶着性フィルム１００２ａと第２の熱溶着性フィルム１００２ｂとが伸びる平面方向において、内側空気口１０４６を形成する右端部から、袋体１０２０の外側向きである下向きすなわち排気流路１０４４の内向きかつ右向きに屈曲するように、第１の熱溶着性フィルム１００２ａと第２の熱溶着性フィルム１００２ｂとが溶着されている部分である屈曲部１４２４を有する。
屈曲部１４２４は、溶着部第１列第１部１０４２ａ１本体の両端から鈍角の角度で屈曲している。溶着部第１列第１部１０４２ａ１は、内側空気口１０４６を形成する左端部から、袋体１０２０の外側向きである下向きすなわち排気流路１０４４の内向きかつ左向きに屈曲するように、第１の熱溶着性フィルム１００２ａと第２の熱溶着性フィルム１００２ｂとが溶着されている部分である屈曲部１４２４ａを有する。屈曲部１４２４ａは、第２の端縁１０２２に沿う溶着部第１列第２部１０４２ａ２本体から鈍角の角度で屈曲している。同様に、溶着部第１列第１部１０４２ａ１は、内側空気口１０４６を形成する右端部から、袋体１０２０の外側向きである下向きすなわち排気流路１０４４の内向きかつ右向きに屈曲するように、第１の熱溶着性フィルム１００２ａと第２の熱溶着性フィルム１００２ｂとが溶着されている部分である屈曲部１４２４ｂを有する。
すなわち、内側空気口１０４６を挟むように対向する屈曲部１４２４と溶着部第１列の短い線状または点状の第２溶着部１０４２ａ２とは、排気流路１０４４を介在して接近するように屈曲している。
すなわち、溶着部第１列第１部１０４２ａ１と溶着部第１列第２部１０４２ａ２との間に形成された内側空気口１０４６は、屈曲部１４２４ｂと溶着部第１列の短い線状または点状の第２溶着部１０４２ａ２との間の間隔が排気流路１０４４の内に進むにつれて漸減するテーパー形状となっている。
同様に、溶着部第３列第２部１０４２ａ３と溶着部第１列第２部１０４２ａ２との間に形成された内側空気口１０４６は、屈曲部１４２４ａと溶着部第１列の短い線状または点状の第２溶着部１０４２ａ２との間の間隔が排気流路１０４４の内に進むにつれて漸減するテーパー形状となっている。
同様に、溶着部第１列第５部１０４２ａ５と溶着部第１列第４部１０４２ａ４との間に形成された内側空気口１０４６は、屈曲部１４２４ａと溶着部第１列第４部１０４２ａ４との間の間隔が排気流路１０４４の内に進むにつれて漸減するテーパー形状となっている。
【００９３】
屈曲部は、左右に広がっているので、収納部側から外に向かう空気を溶着部第１列の線状の長い第１溶着部１０４２ａ１の本体より左右方向に流れ、溶着部第１列の線状の長い第１溶着部１０４２ａ１の左右に存在する内側空気口１０４６及び内側空気口１０８０側に導くことができる。
【００９４】
屈曲部は、左右に広がり、溶着部第１列の短い線状または点状の第２溶着部１０４２ａ２との間隔を狭めているので、外側から流れ込む空気の逆流を防止できる。
【００９５】
溶着部第１列の線状の長い第１溶着部１０４２ａ１及び溶着部第２列の線状の長い第１溶着部１０４２ｂ１の幅（左右方向における長さ）は、溶着部第１列の線状の長い第１溶着部１０４２ａ１の方が長く、溶着部第２列の線状の長い第１溶着部１０４２ｂ１より左右方向においてはみ出た溶着部第１列の線状の長い第１溶着部１０４２ａ１の両端部分（屈曲部分を含む）が、外側からの逆流を阻止する機能を備える。
【００９６】
溶着部第１列の線状の長い第１溶着部１０４２ａ１と、溶着部第１列の線状の長い第１溶着部１０４２ａ１と隣接する溶着部第１列の短い線状または点状の第２溶着部１０４２ａ２との間の距離は、それぞれの組み合わせにおいてほぼ均等となるように、複数組（溶着部第１列の線状の長い第１溶着部１０４２ａ１と溶着部第１列の短い線状または点状の第２溶着部１０４２ａ２との組み合わせ）、配置されている。
これにより、密着領域１０７２の密着強度が、ほぼ均一となり、全領域において、均一に、空気の逆流を防止できる。
【００９７】
溶着部第１列１０４２ａ及び溶着部第２列１０４２ｂは、第３の端縁１０２３及び第４の端縁１０２４の近傍においては、逆止弁境界部の接着力を強化するために、ポイントシール部（１０４２ａ９，１０４２ｂ９）によって構成されている。
ポイントシール部（１０４２ａ９，１０４２ｂ９）の幅（左右方向における長さ）は、第３の端縁１０２３及び第４の端縁１０２４の幅とほぼ同等かそれよりも若干長い長さを備えており、密着領域１０７２における袋体形成フィルムが確実に密着するように構成されている。
【００９８】
第３の端縁１０２３の近傍及び第４の端縁１０２４の近傍に、外側空気口１０８２と内側空気口１０８０とが、それぞれ形成されている。
第３の端縁１０２３の近傍及び第４の端縁１０２４の近傍に形成された外側空気口１０８２と内側空気口１０８０との領域においては、袋体１０２０の内側に被収納物を入れて空気を排出するとき、被収納物の厚みと袋体１０２０の内側の空気の流出とにより、第３の端縁１０２３を挟んで、第１の熱溶着性フィルム１００２ａと第２の熱溶着性フィルム１００２ｂとが、外側に膨らみ、被収納物も存在しないので、空気が外部に流出する速度が早まる。
このように、溶着部第１列１０４２ａ及び溶着部第２列１０４２ｂは、第３の端縁１０２３及び第４の端縁１０２４の近傍において形成されていない溶着部不存在部が、存在する。
この溶着部不存在部は、被収納物を圧縮し保存するとき、収納部内の空気を外部に流出させるときに空気をより早く外部に流出させることができるようにするための流出促進部を構成する。
【００９９】
溶着部第１列の線状の長い第１溶着部１０４２ａ１と溶着部第１列の短い線状または点状の第２溶着部１０４２ａ２との間には、密着領域１０７２が存在する。
密着領域１０７２の幅（左右方向の長さ）は、溶着部第１列の線状の長い第１溶着部１０４２ａ１とほぼ同様の幅を備えており、第１の熱溶着性フィルム１００２ａと第２の熱溶着性フィルム１００２ｂとが密着して逆止弁部１０４０としての機能を備え、外側から空気が袋体の内側に侵入することを防ぐことができる。
【０１００】
溶着部第１列の線状の長い第１溶着部１０４２ａ１と溶着部第２列の線状の長い第１溶着部１０４２ｂ１との間に形成された閉鎖領域１０７０は、第１の熱溶着性フィルム１００２ａと第２の熱溶着性フィルム１００２ｂとが密着しやすく、密着領域１０７２の密着度合いを増加させる機能を備え且つ空気の外側からの逆流を阻止する機能を備える。
【０１０１】
溶着部第１列の線状の長い第１溶着部１０４２ａ１の幅（左右方向における）は、袋体１０２０の収納部に収納された布団等の被収納物が、逆止弁部１０４０の領域に入り込まない長さに設定されている。
【０１０２】
溶着部第１列の短い線状または点状の第２溶着部１０４２ａ２および溶着部第２列の短い線状または点状の第２溶着部１０４２ｂ２は、隣接する溶着部第１列の線状の長い第１溶着部１０４２ａ１の間に形成される密着領域１０７２において、第１の熱溶着性フィルム１００２ａと第２の熱溶着性フィルム１００２ｂとが密着するに適する幅となるように、即ち逆止弁部１０４０の機能を果たすことができるように形成されている。
【０１０３】
第２のチャック部１０５０は、第１のチャック部１０３０と同様に、上下に並列する２列の突条と、２列の突条に高さ方向に対向し突条を咬合する２列の凹条と、により構成されている。第２のチャック部１０５０は、袋体１０２０の第２の端縁１０２２の近傍に第２の端縁１０２２に沿って伸びるように設けられている。さらに、第２のチャック部１０５０は、袋体１０２０の第２の端縁１０２２の近傍であって逆止弁部１０４０よりも袋体１０２０の空気の排気側である外側に設けられている。
第２のチャック部１０５０は、２列の突条と２列の凹条とが咬合することによって、袋体１０２０の第２の端縁１０２２側を密封することができる。さらに、第２のチャック部１０５０は、咬合状態の２列の突条と２列の凹条とを引き離すことにより、袋体１０２０の第２の端縁１０２２側を開封し、逆止弁部１０４０を袋体１０２０の内側から外側に向かって通過してきた空気を袋体１０２０の外側に排気することができる。
【０１０４】
（作用効果）
圧縮袋１０１０によれば、内側に被収納物を収納することができる袋体１０２０と、袋体１０２０の第１の端縁１０２１の近傍に設けられ、袋体１０２０を開封／密封することができるとともに開封時に袋体１０２０に被収納物を出し入れすることができる第１のチャック部１０３０と、を有するので、第１の端縁１０２１側から被収納物を入れて袋体１０２０の内側に被収納物を収納することができるとともに、第１のチャック部１０３０を封止することによって、袋体１０２０の第１の端縁１０２１側を密封し、袋体１０２０の第１の端縁１０２１側のさらに外側から空気が袋体１０２０の内側に流入することがない。
【０１０５】
そして、圧縮袋１０１０は、図７に示すように、袋体１０２０の第２の端縁１０２２の近傍に設けられ、袋体１０２０の内側の空気を袋体１０２０の外側に排気するとともに袋体１０２０の外側の空気が内側に流入することを防止する逆止弁部１０４０を有するので、袋体１０２０の内側に被収納物を収納した状態で、人の力により袋体１０２０に圧力をかけて、逆止弁部１０４０から袋体１０２０の内側の空気ａｉｒを袋体の外側に排気することができる。このとき、逆止弁部１０４０により、袋体１０２０の外側の空気は、内側に流入することを防止される。
【０１０６】
さらに、圧縮袋１０１０は、袋体１０２０の第２の端縁１０２２の近傍であって逆止弁部１０４０よりも袋体１０２０の空気の排気側である外側に設けられ、袋体１０２０を開封／密封することができる第２のチャック部１０５０を有するので、逆止弁部１０４０による空気の流入防止機能に加えて、第２のチャック部１０５０を封止することによって、袋体１０２０の第２の端縁１０２２側を密封し、第２の端縁１０２２側のさらに外側から空気が袋体の内側に進入することがない。
【０１０７】
加えて、圧縮袋１０１０によれば、袋体１０２０の内側から袋体１０２０の外側に排気する空気ａｉｒが第１の熱溶着性フィルム１００２ａと第２の熱溶着性フィルム１００２ｂとの間かつ溶着部第１列１０４２ａと溶着部第２列１０４２ｂとの間で第２の端縁１０２２に略沿って通る排気流路１０４４を有する逆止弁部１０４０は、狭い隙間状の流路における高い圧力を利用して逆止弁としての機能を奏する。
【０１０８】
さらに、第２の端縁１０２２に略沿って通る排気流路１０４４を袋体１０２０の内側に向かって開口し袋体１０２０から排気する空気が排気流路１０４４に流入するための内側空気口１０４６と、袋体１０２０の外側に向かって排気流路１０４４を開口し袋体１０２０から排気する空気が排気流路１０４４から袋体１０２０の外側に流出するための外側空気口１０４８と、は、閉鎖領域１０７０及び密着領域１０７２により、開口部で高い圧力がかかるので、空気が排気流路１０４４内及び内側空気口１０４６には進行しづらくなる。
【０１０９】
したがって、圧縮袋１０１０によれば、排気流路１０４４における圧力を更に高めることができ、圧縮状態をより長期間維持することができる。
【０１１０】
加えて、圧縮袋１０１０によれば、外側空気口１０４８から排気流路１０４４を通って内側空気口１０４６にまで進入しようとする袋体１０２０の外側の空気は、溶着部第１列１０４２ａと溶着部第２列１０４２ｂとの間で形成される排気流路１０４４の内向きに突出する突出部１４２２に進行を阻害されて、排気流路１０４４の中を進行しづらくなる。
【０１１１】
同様に、圧縮袋１０１０によれば、外側空気口１０４８から排気流路１０４４を通って内側空気口１０４６にまで進入しようとする袋体１０２０の外側の空気は、溶着部第１列１０４２ａに形成される排気流路１０４４の内向きに屈曲する屈曲部１４２４に進行を阻害されて、排気流路１０４４の中を進行しづらくなる。
【０１１２】
したがって、圧縮袋１０１０によれば、排気流路１０４４における圧力を高めることができ、圧縮状態をより長期間維持することができる。
【０１１３】
以上より、圧縮袋１０１０によれば、人の力のみで排気することができるとともに、被収納物の圧縮状態を長期間維持することができる。
【０１１４】
（変形例）
【０１１５】
本発明の第２の実施の形態にかかる圧縮袋の変形例について、主として図１３及び１４に基づいて、以下説明する。この変形例は、第２の実施の形態にかかる圧縮袋と逆止弁部において相違する。
【０１１６】
図１３及び１４に示すように、溶着部第１列１０４２ａは、左から順に、溶着部第１列第１部１０４２ａ１と、溶着部第１列第２部１０４２ａ２と、溶着部第１列第３部１０４２ａ３と、溶着部第１列第４部１０４２ａ４と、溶着部第１列第５部１０４２ａ５とを備える。
溶着部第２列１０４２ｂは、左から順に、溶着部第２列第１部１０４２ｂ１と、溶着部第２列第２部１０４２ｂ２と、溶着部第２列第３部１０４２ｂ３と、溶着部第２列第４部１０４２ｂ４と、溶着部第２列第５部１０４２ｂ５とを備える。
【０１１７】
図１３及び１４に示すように、溶着部第１列１０４２ａにおいて、溶着部第１列の線状の長い第１溶着部１０４２ａ１と溶着部第１列の短い線状または点状の第２溶着部１０４２ａ２の間においてスポット状の溶着部１０４２ａ８を形成している。
図１３及び１４に示すように、溶着部第２列１０４２ｂにおいて、溶着部第２列の短い線状または点状の第２溶着部１０４２ｂ２に突出部を形成しており、また、溶着部第２列の線状の長い第１溶着部１０４２ｂ１に形成された突出部を形成している。
【０１１８】
溶着部第１列の線状の長い第１溶着部１０４２ａ１と溶着部第２列の線状の長い第１溶着部１０４２ｂ１の組と、適宜な幅（空間）をおいて隣接する溶着部第１列の短い線状または点状の第２溶着部１０４２ａ２と溶着部第２列の短い線状または点状の第２溶着部１０４２ｂ２の組とは、組み合わせて一揃えとなるように構成されている。
この実施の形態においては、組み合わせて一揃えとなった溶着部第１列の線状の長い第１溶着部１０４２ａ１と溶着部第２列の線状の長い第１溶着部１０４２ｂ１の組及び溶着部第１列の短い線状または点状の第２溶着部１０４２ａ２と溶着部第２列の短い線状または点状の第２溶着部１０４２ｂ２の組が、溶着部第１列第３部１０４２ａ３及び溶着部第２列第３部１０４２ｂ３の組を間に挟んで、二つ揃って幅方向（左右方向）に連続して、併進対称性をもって並んでいる。
【０１１９】
溶着部第１列第５部１０４２ａ５及び溶着部第２列第５部１０４２ｂ５は、溶着部第１列の線状の長い第１溶着部１０４２ａ１及び溶着部第２列の線状の長い第１溶着部１０４２ｂ１と同一であり、溶着部第１列第４部１０４２ａ４及び溶着部第２列第４部１０４２ｂ４は、溶着部第１列の短い線状または点状の第２溶着部１０４２ａ２、溶着部第２列の短い線状または点状の第２溶着部１０４２ｂ２と同一である。
【０１２０】
最も右端の溶着部第１列の短い線状または点状の第２溶着部１０４２ａ２と溶着部第２列の短い線状または点状の第２溶着部１０４２ｂ２の組は、その縦方向における中央において分断されて、その左側に有する溶着部第１列の線状の長い第１溶着部１０４２ａ１と溶着部第２列の線状の長い第１溶着部１０４２ｂ１側である左側のみがポイントシール部１０４２ａ９とポイントシール部１０４２ｂ９の組として存在している。
最も左端の溶着部第１列の短い線状または点状の第２溶着部１０４２ａ２と溶着部第２列の短い線状または点状の第２溶着部１０４２ｂ２の組は、その縦方向における中央において分断されて、その右側に有する溶着部第１列の線状の長い第１溶着部１０４２ａ１と溶着部第２列の線状の長い第１溶着部１０４２ｂ１側である右側のみが、ポイントシール部１０４２ａ９とポイントシール部１０４２ｂ９の組として存在している。
【０１２１】
溶着部１０４２すなわち溶着部第１列１０４２ａと溶着部第２列１０４２ｂとは、その間に略筒状の隙間を形成している。そして、その隙間は、袋体１０２０の内側から袋体１０２０の外側に排気する空気が第１の熱溶着性フィルム１００２ａと第２の熱溶着性フィルム１００２ｂとの間かつ溶着部１０４２の間で第２の端縁１０２２に略沿って通る排気流路１０４４を形成している。
【０１２２】
溶着部第１列１０４２ａは、図１３及び図１４に示すように、第２の端縁１０２２に沿って、溶着部第１列第１部１０４２ａ１と溶着部第１列第２部１０４２ａ２と溶着部第１列第３部１０４２ａ３と溶着部第１列第４部１０４２ａ４と溶着部第１列第５部１０４２ａ５とが不連続となるように、すなわち、間欠的に一直線上に部分的に溶着されて形成されている。すなわち、図１４に示すように、溶着部第１列１０４２ａの連続していない部分である溶着部第１列第１部１０４２ａ１と溶着部第１列第２部１０４２ａ２との間の部分と、溶着部第１列第２部１０４２ａ２と溶着部第１列第３部１０４２ａ３との間の部分と、溶着部第１列第３部１０４２ａ３と溶着部第１列第４部１０４２ａ４との間の部分と、溶着部第１列第４部１０４２ａ４と溶着部第１列第５部１０４２ａ５との間の部分は、第１の熱溶着性フィルム１００２ａと第２の熱溶着性フィルム１００２ｂとが溶着していない部分であり、袋体１０２０の内側に向かって排気流路１０４４を開口し袋体１０２０から排気する空気が排気流路１０４４に流入するための内側空気口１０４６を形成している。
圧縮袋１０１０において、内側空気口１０４６は、１つ形成されていてもよく、複数形成されていてもよい。
本実施の形態においては、内側空気口１０４６は、左右方向の袋体１０２０の中間領域に４つ、袋体１０２０の左側に１つ、袋体１０２０の右側に１つ、形成されることにより、比較的均一に袋体１０２０の内側の空気が外側に向かって排気される。
【０１２３】
前記溶着部１０４２は、流路の向きに突出する突出部１４２２と流路の向きに屈曲する屈曲部１４２４とを有している。
前記溶着部第１列１０４２ａは、線状の長い第１溶着部１０４２ａ１と、溶着部第１列の短い線状または点状の第２溶着部１０４２ａ２とを有している。
前記溶着部第１列１０４２ａは、流路の向きに突出する突出部１４２２ａ１と流路の向きに屈曲する屈曲部１４２４ａ１とを有している。
前記溶着部第２列１０４２ｂは、線状の長い第１溶着部１０４２ｂ１と、短い線状または点状の第２溶着部１０４２ｂ２とを有している。
前記溶着部第２列１０４２ｂは、流路の向きに突出する突出部１４２２ｂ１を有している。
【０１２４】
溶着部第１列１０４２ａは、収納部に収容された被収納物の停止位置を構成し、袋体の左端縁側及び右端縁側に内側空気口１０８０が形成されている。
溶着部第２列１０４２ｂは、袋体の左端縁側及び右端縁側に外側空気口１０８２が形成されている。
袋体の左端縁側及び右端縁側に形成された前記内側空気口１０８０と前記外側空気口１０８２とは、複数枚の袋体形成フィルムが伸びる平面方向のうち第２の端縁１０２２と直交する方向において重ならない位置となる。
【０１２５】
溶着部第２列１０４２ｂは、図１３及び図１４に示すように、第２の端縁１０２２に沿ってかつ溶着部第１列１０４２ｂよりも下側で、溶着部第２列第１部１０４２ｂ１と溶着部第２列第２部１０４２ｂ２と溶着部第２列第３部１０４２ｂ３と溶着部第２列第４部１０４２ｂ４と溶着部第２列第５部１０４２ｂ５とが不連続となるように、すなわち、間欠的に一直線上に部分的に溶着されて形成されている。
すなわち、図７に示すように、溶着部第２列１０４２ｂの連続していない部分である溶着部第２列第１部１０４２ｂ１と溶着部第２列第２部１０４２ｂ２との間の部分と、溶着部第２列第２部１０４２ｂ２と溶着部第２列第３部１０４２ｂ３との間の部分と、溶着部第２列第３部１０４２ｂ３と溶着部第２列第４部１０４２ｂ４との間の部分と、溶着部第２列第４部１０４２ｂ４と溶着部第２列第５部１０４２ｂ５との間の部分とは、第１の熱溶着性フィルム１００２ａと第２の熱溶着性フィルム１００２ｂとが溶着していない部分であり、袋体１０２０の外側に向かって排気流路１０４４を開口し袋体１０２０から排気する空気が排気流路１０４４から袋体１０２０の外側に流出するための外側空気口１０４８を形成している。
圧縮袋１０１０において、外側空気口１０４８は、１つ形成されていてもよく、複数形成されていてもよい。
本実施の形態においては、外側空気口１０４８は、左右方向においての袋体１０２０の中間領域に４つあり、４つの内側空気口１０４６と同一位置に４つ形成されている。すなわち、外側空気口１０４８は、内側空気口１０４６と略均一な間隔をおいて、形成されている。
【０１２６】
そして、内側空気口１０４６と外側空気口１０４８とは、第１の熱溶着性フィルム１００２ａと第２の熱溶着性フィルム１００２ｂとが拡がる平面方向のうち第２の端縁１０２２と直交する方向から見て、重なる位置となるように形成されている。そして、図１３及び図１４の下側（第２のチャック部１０５０側）から見て、外側空気口１０４８の上側（収納部側）に、内側空気口１０４６が存在する。図１３及び図１４の上側（収納部側）から見て、すなわち、袋体１０２０の内側から第２の端縁１０２２を見て、内側空気口１０４６の下側に、外側空気口１０４８が存在する。
したがって、内側空気口１０４６と外側空気口１０４８とは、第１の熱溶着性フィルム１００２ａと第２の熱溶着性フィルム１００２ｂとが拡がる平面方向のうち第２の端縁１０２２と直交する方向から見て、貫通している。
袋体１０２０の内側の収納部から外側に向かって排気される空気は、溶着部第１列の線状の長い第１溶着部１０４２ａ１の上側にあたり、内側空気口１０４６から外側空気口１０４８に至るにあたって、進行する方向を変化させながら、内側空気口１０４６から外側空気口１０４８に至る。
そして、内側空気口１０４６から外側空気口１０４８に至る間に、その一部は、溶着部第１列の線状の長い第１溶着部１０４２ａ１と溶着部第２列の線状の長い第１溶着部１０４２ｂ１との間に流れ込むと共に、溶着部第１列の短い線状または点状の第２溶着部１０４２ａ２と溶着部第２列の短い線状または点状の第２溶着部１０４２ｂ２との間に流れ込み、それらの間を流れながら外側空気口１０４８に至る。
【０１２７】
逆止弁部１０４０の幅方向における内側空気口の長さは、逆止弁部１０４０の幅方向における線状の長い第１溶着部の長さよりも短く、逆止弁部１０４０の幅方向における外側空気口の長さは、逆止弁部１０４０の幅方向における線状の長い第１溶着部の長さよりも長い。
溶着部第１列１０４２ａの線状の長い第１溶着部１０４２ａ１は、溶着部第２列１０４２ｂの線状の長い第１溶着部１０４２ｂ１と向き合い、逆止弁部１０４０の幅方向における溶着部第１列の線状の長い第１溶着部１０４２ａ１の長さは、溶着部第２列の線状の長い第１溶着部１０４２ｂ１の長さよりも長い。
【０１２８】
さらに、溶着部１０４２は、排気流路１０４４の内向きに突出する突出部１４２２を有する。
具体的には、溶着部第１列１０４２ａは、第１の熱溶着性フィルム１００２ａと第２の熱溶着性フィルム１００２ｂとが拡がる平面方向において溶着部第２列１０４２ｂと対向する位置に、袋体１０２０の外側向きすなわち排気流路１０４４の内向きに突出する突出部１４２２を有する。同様に、溶着部第２列１０４２ｂは、第１の熱溶着性フィルム１００２ａと第２の熱溶着性フィルム１００２ｂとが拡がる平面方向において溶着部第１列の線状の長い第１溶着部１０４２ａ１と対向する位置に、袋体１０２０の内側向きすなわち排気流路１０４４の内向きに突出する突出部１４２２を有する。
【０１２９】
以上のように、本発明の実施の形態は、前記記載で開示されているが、本発明は、これに限定されるものではない。
すなわち、本発明の技術的思想及び目的の範囲から逸脱することなく、以上説明した実施の形態に対し、機序、形状、材質、数量、位置又は配置等に関して、様々の変更を加えることができるものであり、それらは、本発明に含まれるものである。
【符号の説明】
【０１３０】
１０，１０１０            圧縮袋
２０，１０２０            袋体
２ａ，１００２ａ          第１の熱溶着性フィルム
２ｂ，１００２ｂ          第２の熱溶着性フィルム
２１，１０２１            第１の端縁
２２，１０２２            第２の端縁
２３，１０２３            第３の端縁
２４，１０２４            第４の端縁
３０，１０３０            第１のチャック部
４０，１０４０            逆止弁部
４２，１０４２            溶着部
４２ａ，１０４２ａ        溶着部第１列
４２ａ１                  溶着部第１列第１部
１０４２ａ１              溶着部第１列の線状の長い第１溶着部
４２ａ２                  溶着部第１列第２部
１０４２ａ２              溶着部第１列の短い線状または点状の第２溶着部
４２ａ３，１０４２ａ３    溶着部第１列第３部
４２ａ４，１０４２ａ４    溶着部第１列第４部
１０４２ａ５              溶着部第１列第５部
１０４２ａ９              ポイントシール部
４２ｂ，１０４２ｂ        溶着部第２列
４２ｂ１                  溶着部第２列第１部
１０４２ｂ１              溶着部第２列の線状の長い第１溶着部
４２ｂ２                  溶着部第２列第２部
１０４２ｂ２              溶着部第２列の短い線状または点状の第２溶着部
４２ｂ３，１０４２ｂ３    溶着部第２列第３部
１０４２ｂ４              溶着部第２列第４部
１０４２ｂ５              溶着部第２列第５部
１０４２ｂ９              ポイントシール部
４２２，１４２２          突出部
１４２２ａ１              溶着部第１列の流路の向きに突出する第１突出部
１４２２ａ２              溶着部第１列の流路の向きに突出する第２突出部
１４２２ｂ１              溶着部第２列の流路の向きに突出する突出部
４２４、４２４ａ〜４２４ｊ，１４２４、１４２４ａ〜１４２４ｊ      屈曲部
１４２４ａ１              溶着部第１列の流路の向きに屈曲する屈曲部
４４，１０４４            排気流路
４６，１０４６，１０８０  内側空気口
４８，１０４８，１０８２  外側空気口
５０，１０５０    第２のチャック部
１０６０          溶着部第１列を構成する溶着部を結んだ幅方向にのびる逆止弁境界部
１０６２          溶着部第２列を構成する溶着部を結んだ幅方向にのびる逆止弁境界部
１０７０          閉鎖領域
１０７２          密着領域
ａｉｒ            空気
【図１】
2020066470.tif 000003
【図２】
2020066470.tif 000004
【図３】
2020066470.tif 000005
【図４】
2020066470.tif 000006
【図５】
2020066470.tif 000007
【図６】
2020066470.tif 000008
【図７】
2020066470.tif 000009
【図８】
2020066470.tif 000010
【図９】
2020066470.tif 000011
【図１０】
2020066470.tif 000012
【図１１】
2020066470.tif 000013
【図１２】
2020066470.tif 000014
【図１３】
2020066470.tif 000015
【図１４】
2020066470.tif 000016
【図１５】
2020066470.tif 000017